(57)【特許請求の範囲】
【請求項１】
基材上の一部に印刷画像を備え、
前記印刷画像は、明暗フリップフロップ性又はカラーフリップフロップ性の少なくともどちらか一方の特性を有する蒲鉾状画線が万線状に配置された蒲鉾状画線群の上に、正反射光下において前記蒲鉾状画線群とは異なる色彩を有する集合潜像画線群が積層されて成り、
前記集合潜像画線群は、
第１の潜像画線が第１の方向に万線状に配列された第１の潜像要素が、前記第１の方向と同じ又は異なる方向に複数配列された第１の潜像画像と成る第１の潜像画線群と、
第２の潜像画線が前記第１の方向に万線状に配列された第２の潜像要素が、前記第１の方向と同じ又は異なる方向に複数配列された第２の潜像画像と成る第２の潜像画線群と、・・・、
第ｎの潜像画線（ｎは３以上の整数）が前記第１の方向に万線状に配列された第ｎの潜像要素が、前記第１の方向と同じ又は異なる方向に複数配列された第ｎの潜像画像と成る第ｎの潜像画線群を有し、
前記各々の潜像画線群において、隣接する潜像要素は、位相、配置角度、形状及び大きさの、少なくとも一つが異なる略相似形状に形成され、
前記第１の潜像要素から前記第ｎの潜像要素において、螺旋状に循環、かつ、対応した関係で配置された前記潜像要素は、位相、配置角度、形状及び大きさの、少なくとも一つが異なる最も近似した略相似形状に形成され、
前記第１の潜像画線群から前記第ｎの潜像画線群を各々構成している前記潜像画線は、前記蒲鉾状画線上に前記第１の方向に順次隣接して配置され、
正反射光下において、前記基材の観察角度を連続的に変化させると、前記第１の潜像画像から前記第ｎの潜像画像までが循環した動画効果として視認可能なことを特徴とする潜像印刷物。
【請求項２】
前記各潜像画線群は、前記第１の潜像要素が前記第１の方向と異なる直線方向の第２の方向に複数配置されて成り、
前記１の潜像要素から前記第ｎの潜像要素は、有意味情報で、かつ、規則的な位相差により配置され、
前記正反射光下において、前記基材の観察角度を連続的に変化させると、前記第１の潜像画像内の前記第１の有意味情報から前記第ｎの潜像画像内の前記第ｎの有意味情報までが循環した動画効果として視認可能なことを特徴とする請求項１記載の潜像印刷物。
【請求項３】
前記第２の方向が、前記第１の方向と直交する方向であることを特徴とする請求項２記載の潜像印刷物。
【請求項４】
前記集合潜像画線群は、さらに、前記第１の潜像画線群から前記第ｎの潜像画線群を構成する、前記潜像要素とは略１８０度異なる方向に規則的な位相差を有して複数配列されて成る前記ｎ個の潜像画線群を有することを特徴とする請求項２又は３記載の潜像印刷物。
【請求項５】
前記集合潜像画線群は、拡散反射光下において透明以外の有色の色彩を有し、
第１の潜像画線が第１の方向に万線状に配列された第１の潜像要素が、中心点に対して前記第１の方向と異なる回転方向の第３の方向に複数配列された第一の潜像画像と成る第１の潜像画線群と、
第２の潜像画線が前記第１の方向に万線状に配列された第２の潜像要素が、前記第３の方向に複数配列された第二の潜像画像と成る第２の潜像画線群と、・・・、
第ｎの潜像画線が前記第１の方向に万線状に配列された第ｎの潜像要素が、前記第３の方向に複数配列された第ｎの潜像画像と成る第ｎの潜像画線群を備えたことで、彩紋状模様が形成され、
前記第１の潜像要素から前記第ｎの潜像要素は、同一形状、かつ、前記中心点に対して順次連続的に角度αだけ前記第３の方向にずれて配置されることで、
前記基材を拡散反射光下で観察した場合、前記彩紋状模様が視認され、前記基材を正反射光下において傾きを連続的に変化させると、前記第一の潜像画像から前記第ｎの潜像画像が、前記第３の方向に連続的に回転して視認可能なことを特徴とする請求項１記載の潜像印刷物。
【請求項６】
前記集合潜像画線群は、拡散反射光下において透明以外の有色の色彩を有し、
第１の潜像画線が第１の方向に万線状に配列された第１の潜像要素が、前記第１の方向と異なり、中心点から放射状に拡大あるいは縮小する方向である第４の方向に複数配列された第一の潜像画像と成る第１の潜像画線群と、
第２の潜像画線が前記第１の方向に万線状に配列された第２の潜像要素が、前記第４の方向に複数配列された第二の潜像画像と成る第２の潜像画線群と、・・・、
第ｎの潜像画線が前記第１の方向に万線状に配列された第ｎの潜像要素が、前記第４の方向に複数配列された第ｎの潜像画像と成る第ｎの潜像画線群を備えたことで、彩紋状模様が形成され、
前記第１の潜像要素から前記第ｎの潜像要素は、同一形状、かつ、前記中心点に対して順次連続的に前記第４の方向に異なる形状で配置されることで、
前記基材を拡散反射光下で観察した場合、前記彩紋状模様が視認され、前記基材を正反射光下において傾きを連続的に変化させると、前記第一の潜像画像から前記第ｎの潜像画像が、前記第４の方向に連続的に拡大縮小して視認可能なことを特徴とする請求項１記載の潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の貴重印刷物の分野において、正反射光下で潜像が出現して動いて見える効果を有し、特に潜像の動きが連続的でスムーズであることを特徴とする潜像印刷物に関する。
【背景技術】
【０００２】
銀行券、パスポ−ト、有価証券、身分証明書等に代表されるセキュリティ印刷物には、複製や偽造を防止するために、偽造防止技術が必要とされている。また、偽造防止技術の中でも、すかしやホログラム等に代表される、道具を必要とせず、印刷物を手にしたすべての人が真偽判別に利用できる偽造防止技術が特に必要とされている。
【０００３】
この中でも、画像が動いて見える、いわゆる「動画的な視覚効果」を備えた偽造防止技術が特に注目されている。画像が動いて見える動画的な視覚効果は、人目を惹きやすく、また偽造することが困難であることから、近年、セキュリティ印刷物の真偽判別要素として多く用いられる傾向にある。動画効果を実現可能な公知技術としてホログラム、パララックスバリアやレンチキュラー等を用いた技術が存在し、これらの技術が備える、わずかな角度変化で画像を変化させられるという特徴を活かして、画像が立体的に視認できる効果や、動画効果を備えたセキュリティ印刷物は、すでに広く存在している。
【０００４】
本出願人は、高い光沢及び盛り上がりを有する蒲鉾状の画線に光が入射した場合に、盛り上がりを有する蒲鉾状の画線のうち、入射する光と法線を成す面のみが強く光を反射する現象を利用した動画効果を形成することが可能な印刷技術をすでに出願している（特許文献１、特許文献２、特許文献３参照）。これらの技術は、パララックスバリアやレンチキュラーの１０分の１程度の厚さで形成することが可能であって、製造技術も従来からある製版技術と印刷技術を活用することで容易に実施可能であり、かつ、一般的な印刷物と同じコストで動画効果を備えた印刷画像を形成することができるという優れた特徴を有する。
【０００５】
この中でも特許文献１及び特許文献２の実現可能な動画効果の一つの形態に、それぞれの画像の動きや配置に一定の相関を持たせ、各画像を一瞬で次々にチェンジさせることで、実際には不連続な別々の画像の繋がりであっても、観察者には連続した動きが生じているように認識させるパラパラ漫画方式の動画効果を実現する形態が存在する。
【０００６】
そして、このようなパラパラ漫画方式の動画効果を実現する形態に、図５２の羽ばたく鳥のように動画の起点と終点を繋げて循環する構成とし、動画を延々とループさせる循環型のパラパラ漫画方式の動画効果（本発明中では「循環型の動画効果」と呼ぶ）を実現した形態が存在する。この循環型の動画効果は、限られた枚数の画像で延々とループする動画を見せることができることから、特許文献１や特許文献２の技術の他に、レンチキュラーやパララックスバリア等の画像遷移技術等の再生できる画像の枚数に限りのある技術において多く用いられる動画効果の一形態である。
【０００７】
特許文献３に記載の技術は、周期性のある二つの画像が干渉して、特定の画像が拡大されて出現するモアレ拡大現象（ｍｏｉｒｅ  ｍａｇｎｉｆｉｃａｔｉｏｎ）と呼ばれる効果を利用して優れた動画効果を実現した技術である。この技術を用いて実現可能な動画効果の一つの形態に、特定の方向に圧縮した微小模様を繰り返し配置した構成の潜像画像群と、配置ピッチがわずかに異なる蒲鉾状画線群とが干渉し、干渉から生まれた微小模様の拡大画像である拡大モアレが一定の周期性を有して複数出現し、出現した拡大モアレすべてが特定の方向にスムーズに動く効果を実現した一形態がある。
【０００８】
この形態の動画効果は、もともと不連続な別々な画像の繋がりを疑似的に連続した動きとして見せるパラパラ漫画方式の動画効果とは根本的に異なり、もともと連続した画像（圧縮された微小模様）を連続した動きとして見せる技術である。そのため、この形態の技術は、もともと連続した画像で構成される技術であることから動画効果のスムーズさに優れ、また同じ動画効果が必ず発現することから特に製造安定性に優れる。
【先行技術文献】
【特許文献】
【０００９】
【特許文献１】特許第４６８２２８３号公報
【特許文献２】特許第４６６０７７５号公報
【特許文献３】特許第５１３１７８９号公報
【発明の概要】
【発明が解決しようとする課題】
【００１０】
しかしながら、この循環型の動画効果には以下のような問題があった。循環型の動画効果を用いる場合、動画は、必ず対の動きで構成する必要があった。対の動きとは右方向へ動いたら、左方向へ動かす逆向きの動きのペアのことであり、上と下、奥と手前、拡大と縮小等がこれにあたる。循環型の動画において画像をループさせるためには、対の動きが必要となるため、結果として必要となる画像の枚数が増加するという問題があった。これについて、図５２の例で具体的に説明する。
【００１１】
図５２は、もともと、Ａ−１、Ａ−２、Ａ−３、Ａ−４の４種類の画像で構成された動画であり、循環型の動画効果を用いない動画効果として（非循環型の動画と呼ぶ）、単に鳥が羽根を広げる効果のみを視認させるのであれば、鳥が羽根を閉じきった起点の画像（Ａ−１）と、鳥が羽根を広げきった終点の画像（Ａ−４）と、その中間を結ぶＡ−２、Ａ−３の中間画像の４枚の画像で動画を構成すればよい。
【００１２】
ただし、循環型の構造とするためには、広げた羽根を逆にたたむ（「広げる」と対の動き）必要があり、結局、終点Ａ−４と起点Ａ−１を逆の順序でつなぐＡ−５とＡ−６の中間画像を必要とする。結果として、非循環型の動画効果では４枚の画像で動画を構成できるのに対して、循環型の動画効果では６枚の画像を必要とする。
【００１３】
この循環型の動画効果が用いられるのは、特許文献１の技術、特許文献２の技術、レンチキュラー及びパララックスバリアを用いた画像遷移技術等の再生できる画像の枚数に限りがある技術の場合に多いことから、循環型の動画効果を構成するためには、動画として用いる画像の種類を減らす必要があり（多くの場合、鳥が羽根を閉じ切った起点画像（Ａ−１）と鳥が羽根を広げきった終点画像（Ａ−４）をつなぐ中間画像の枚数を減らす）、この場合、動きのなめらかさが失われることが多かった。以上のように、循環型の動画効果は、非循環型の動画効果と比較して多くの画像を必要とし、結果として動きのスムーズさが損なわれる傾向にあった。
【００１４】
また、特許文献１や特許文献２の技術において循環型の動画効果を実現した場合には、以下のような問題があった。特許文献１及び特許文献２の技術は、蒲鉾状画線群と潜像画線群を重ね合わせて形成する技術であり、この蒲鉾状画線群と潜像画線群の重ね合わせの位置関係によっては動画効果が安定しない場合があった。
【００１５】
具体的には、図５２のような６種類の原画像（Ａ−１、Ａ−２、Ａ−３、Ａ−４、Ａ−５、Ａ−６）を出現させて動画効果を発現させることを意図する場合、図５３に示すように潜像画線群（Ｌ）を構成する一つ一つの潜像画線（Ｃ）は、原画像（Ａ−１）を分割した潜像画線（Ｂ−１）、原画像（Ａ−２）を分割した潜像画線（Ｂ−２）、原画像（Ａ−３）を分割した潜像画線（Ｂ−３）、原画像（Ａ−４）を分割した潜像画線（Ｂ−４）、原画像（Ａ−５）を分割した潜像画線（Ｂ−５）、原画像（Ａ−６）を分割した潜像画線（Ｂ−６）の集合によって構成される。そして、盛り上がりを有した蒲鉾状画線群の上に潜像画線群（Ｌ）を重ねあわせる。
【００１６】
ここで、図５４（ａ）に示すように蒲鉾状画線（Ｄ）の上に潜像画線群（Ｌ）の中のすべての潜像画線（Ｂ−１、Ｂ−２、Ｂ−３、Ｂ−４、Ｂ−５、Ｂ−６）が重なるように形成することで、正反射光下で６種類すべての原画像（Ａ−１、Ａ−２、Ａ−３、Ａ−４、Ａ−５、Ａ−６）が出現する効果を得ることができる。
【００１７】
加えて、図５４（ａ）のように、蒲鉾状画線（Ｄ）のＡ辺側からＡ’辺側にかけて、６種類の原画像（Ａ−１、Ａ−２、Ａ−３、Ａ−４、Ａ−５、Ａ−６）を表す潜像画線（Ｂ−１、Ｂ−２、Ｂ−３、Ｂ−４、Ｂ−５、Ｂ−６）が順に重なった場合、図５４（ｂ）、図５４（ｃ）及び図５４（ｄ）のように、印刷物を傾けることで、図５４（ｅ）のように、Ａ−１からＡ−２、Ａ−３、Ａ−４、Ａ−５、Ａ−６の順番か、Ａ−６からＡ−５、Ａ−４、Ａ−３、Ａ−２、Ａ−１の順番（傾ける方向が逆方向の場合）で原画像が再生される。
【００１８】
また、理想的な光源の状態においては、Ａ−６の原画像再生後、より深く印刷物を傾けると、再びＡ−１の原画像が出現し、そのままＡ−１からＡ−２、Ａ−３、Ａ−４、Ａ−５、Ａ−６の順番に２サイクル目、３サイクル目・・・と連続して同じ動画が再生される。以上のように、この図５４（ａ）に示す蒲鉾状画線（Ｄ）と潜像画線（Ｃ）の位置関係が最も理想的な位置関係であり、正反射光下で印刷物の観察角度を変化させることで、この場合、作製者が意図したとおりに鳥がスムーズに羽ばたく動画効果を得ることができる。
【００１９】
また、図５５（ａ）に示すように蒲鉾状画線（Ｄ）と潜像画線（Ｃ）の位置関係が最も理想的な位置関係からずれ、潜像画線（Ｃ）のうち、原画像（Ａ−６）を表す潜像画線（Ｂ−６）が蒲鉾状画線（Ｄ）と蒲鉾状画線（Ｄ）の間の非画線部に入り、いずれの蒲鉾状画線（Ｄ）の上にも重ならない位置関係となる場合も存在する。
【００２０】
引用文献１の技術において再生される潜像とは、蒲鉾状画線（Ｄ）の上に潜像画線（Ｂ）が重なった画像だけであり、重ならなかった潜像画線（Ｂ）の原画像である潜像は再生されないことから、刷り合わせのずれによって図５５（ａ）のような蒲鉾状画線（Ｄ）と潜像画線（Ｃ）の位置関係となった場合、原画像（Ａ−６）は再生されない。結果、図５５（ｅ）のように、Ａ−１からＡ−２、Ａ−３、Ａ−４、Ａ−５の順番で５種類の原画像のみが再生され、またＡ−５の原画像再生後にＡ−１の原画像が再生されるために、この間の画像の変化が相対的に大きくなる。この変化自体は動きのスムーズさが損なわれることから問題ではあるが、実際にはこの程度の変化は観察者の目にとまることはなく、図５４の印刷物と並べて比較しても観察者は気がつくことはない。
【００２１】
しかしながら、図５６に示すように蒲鉾状画線（Ｄ）と潜像画線（Ｃ）の位置関係となった場合、問題が生じる。図５６において潜像画線（Ｂ−４）が非画線部に形成されている。この場合、Ａ−４の原画像は再生されず、Ａ−５からＡ−６、Ａ−１、Ａ−２、Ａ−３の順番で５種類の原画像のみが再生され、またＡ−３の原画像再生後にＡ−５の原画像が再生される。この例においては、６種類の原画像のうち１種類の原画像が再生されないのは図５５の例と同じではあるが、図５５に示した例とは異なり、再生されない画像が６種類の原画像のうちでも特徴的な画像であることが問題の原因となる。
【００２２】
この潜像画線（Ｂ−４）が表す原画像（Ａ−４）とは、鳥の羽が最も大きく開いた特徴的な画像であり、この原画像（Ａ−４）が観察できない場合には、観察者は鳥の羽ばたきが小さくなったことに容易に気付く。動画において、動きや大きさ、位置等が特徴的な状態にある画像を観察できない場合、すなわち、この例に示すような羽根の開きが最大の大きさに達した原画像（Ａ−４）や、あるいは羽根の開きが最小である原画像（Ａ−１）が観察できない場合、観察者は図５４や図５５の動画が同じ動画であるとは判断しない。
【００２３】
この蒲鉾状画線（Ｄ）と蒲鉾状画線（Ｄ）の間の非画線部は、印刷で蒲鉾状画線群を形成する特許文献１の技術形態においては、不可欠なものであり、非画線部をなくすことはできない。また、一つ一つの潜像画線（Ｃ）の画線幅を非画線部の幅以下とすれば、すべての原画像（Ａ）が出現する効果を得ることができるものの、印刷で蒲鉾状画線群を形成する技術形態においては、非画線部の幅を一定の値以下に抑えることは難しく、この条件を満たすためには潜像画線（Ｃ）の画線幅は大きくなり、結果として原画像（Ａ）の数を少なくせざるをえず、循環型の動画効果を実現する上では現実的な対応策とは成り得なかった。このため、刷り合わせを完全に制御しない限り、一定の割合で図５６に示すような観察者に一見して動画効果に違和感を生じさせる印刷物が形成される可能性があった。
【００２４】
偽造防止技術である特許文献１や特許文献２の技術における動画効果とは、印刷物の真偽判別の基準となることを想定したものであり、蒲鉾状画線（Ｄ）と潜像画線（Ｃ）の位置関係のズレによって、観察者が他の印刷物の動画効果との違いに気付き、異常製品である、あるいは偽造品であるという嫌疑を生じさせるような品質のアバレが生じる可能性があることは、真偽判別技術として極めて大きな問題であった。
【００２５】
一方、特許文献３の技術は、モアレ拡大現象を利用した動画効果を発現する技術であり、潜像画線群と蒲鉾状画線群の刷り合わせの位置関係によって動画効果にアバレが生じる特許文献１や特許文献２の技術と異なり、特定の方向に圧縮した微小模様を繰り返し配置した構成の潜像画像群と蒲鉾状画線群の刷り合わせの位置に関係なく同じ動画効果が必ず発現するという特徴を有する。
【００２６】
しかしながら、モアレ拡大現象を利用するためには、微小模様を極めて狭い間隔で配置する必要があり、特許文献３のように印刷で潜像画像群を形成する場合には、円や星程度の単純な図形か、アルファベットの文字１、２文字程度しか表現することができないというデザイン上の問題があった。また、動画効果も、出現した拡大モアレが蒲鉾状画線と直交する方向に平行に移動する効果にほぼ限定されるという動画表現の自由度の低さにも問題があった。
【００２７】
加えて、特許文献１から特許文献３までの全ての技術に共通する、以下の問題があった。特許文献１から特許文献３までの技術において正反射光下で出現する潜像とは、真偽判別の基準となる画像であることから、潜像の視認性は高ければ高いほど、好ましい。潜像の視認性を左右する要素は多々あるが、その要素の一つに潜像画線群の色彩がある。潜像画線群が透明や半透明であるよりも、着色されて特定の色彩を有するほうが、正反射光下で出現する潜像の視認性は高まる。しかし、潜像を着色した場合、拡散反射光下においても潜像画線群が視認されることとなる。
【００２８】
特許文献１から特許文献３までの技術における潜像画線群とは、潜像として出現させたいと意図する複数の画像を分断して組み合わせた構成であり、潜像画線群自体はほとんどの場合、一見して何を表しているのか分からない不明瞭な画像となる。このような不明瞭な画像が拡散反射光下で視認されることは好ましくないため、特許文献１から特許文献３までの技術においては、潜像画線群を透明、または半透明として拡散反射光下で不可視とする構成とする場合がほとんどであった。このため、正反射光下で出現する潜像の視認性が犠牲となるという問題があった。
【００２９】
本発明は、潜像画像群と蒲鉾状画線群を重ね合わせて形成する技術において、循環型の動画効果とモアレ拡大現象を利用した動画効果のそれぞれの課題の解決を目的とするものであり、動きを対の関係にする必要がないために、動画効果の発現に必要とする原画像の枚数も少なくて良く、デザイン上の制約が小さく、蒲鉾状画線群と潜像画線群の刷り合わせがずれた場合でも、正反射光下でスムーズな動画効果が発現し、観察者に違和感を生じさせないことに加え、潜像画線群自体を意匠性のある模様とすることで、透明や透明以外の目視可能な特定の色彩によって構成でき、拡散反射光下で意匠性のある彩紋状模様が視認でき、正反射光下で出現する潜像の視認性が高いことを特徴とする潜像印刷物を提案することを目的とする。
【課題を解決するための手段】
【００３０】
本発明の潜像印刷物は、基材上の一部に印刷画像を備え、印刷画像は、明暗フリップフロップ性又はカラーフリップフロップ性の少なくともどちらか一方の特性を有する蒲鉾状画線が万線状に配置された蒲鉾状画線群の上に、正反射光下において蒲鉾状画線群とは異なる色彩を有する集合潜像画線群が積層されて成り、集合潜像画線群は、第１の潜像画線が第１の方向に万線状に配列された第１の潜像要素が、第１の方向と同じ又は異なる方向に複数配列された第１の潜像画像と成る第１の潜像画線群と、第２の潜像画線が第１の方向に万線状に配列された第２の潜像要素が、第１の方向と同じ又は異なる方向に複数配列された第２の潜像画像と成る第２の潜像画線群と、・・・、第ｎの潜像画線（ｎは３以上の整数）が第１の方向に万線状に配列された第ｎの潜像要素が、第１の方向と同じ又は異なる方向に複数配列された第ｎの潜像画像と成る第ｎの潜像画線群を有し、各々の潜像画線群において、隣接する潜像要素は、位相、配置角度、形状及び大きさの、少なくとも一つが異なる略相似形状に形成され、第１の潜像要素から第ｎの潜像要素において、螺旋状に循環、かつ、対応した関係で配置された潜像要素は、位相、配置角度、形状及び大きさの、少なくとも一つが異なる最も近似した略相似形状に形成され、第１の潜像画線群から第ｎの潜像画線群を各々構成している潜像画線は、蒲鉾状画線上に第１の方向に順次隣接して配置され、正反射光下において、基材の観察角度を連続的に変化させると、第１の潜像画像から第ｎの潜像画像までが循環した動画効果として視認可能なことを特徴とする。
【００３１】
また、本発明の潜像印刷物における各潜像画線群は、第１の潜像要素が第１の方向と異なる直線方向の第２の方向に複数配置されて成り、１の潜像要素から第ｎの潜像要素は、有意味情報で、かつ、規則的な位相差により配置され、正反射光下において、基材の観察角度を連続的に変化させると、第１の潜像画像内の第１の有意味情報から第ｎの潜像画像内の第ｎの有意味情報までが循環した動画効果として視認可能なことを特徴とする。
【００３２】
また、本発明の潜像印刷物における第２の方向が、第１の方向と直交する方向であることを特徴とする。
【００３３】
また、本発明の潜像印刷物における集合潜像画線群は、さらに、第１の潜像画線群から第ｎの潜像画線群を構成する、潜像要素とは略１８０度異なる方向に規則的な位相差を有して複数配列されて成るｎ個の潜像画線群を有することを特徴とする。
【００３４】
また、本発明の潜像印刷物における集合潜像画線群は、拡散反射光下において透明以外の有色の色彩を有し、第１の潜像画線が第１の方向に万線状に配列された第１の潜像要素が、中心点に対して第１の方向と異なる回転方向の第３の方向に複数配列された第一の潜像画像と成る第１の潜像画線群と、第２の潜像画線が第１の方向に万線状に配列された第２の潜像要素が、第３の方向に複数配列された第二の潜像画像と成る第２の潜像画線群と、・・・、第ｎの潜像画線が第１の方向に万線状に配列された第ｎの潜像要素が、第３の方向に複数配列された第ｎの潜像画像と成る第ｎの潜像画線群を備えたことで、彩紋状模様が形成され、第１の潜像要素から第ｎの潜像要素は、同一形状、かつ、中心点に対して順次連続的に角度αだけ第３の方向にずれて配置されることで、基材を拡散反射光下で観察した場合、彩紋状模様が視認され、基材を正反射光下において傾きを連続的に変化させると、第一の潜像画像から第ｎの潜像画像が、第３の方向に連続的に回転して視認可能なことを特徴とする。
【００３５】
また、本発明の潜像印刷物における  集合潜像画線群は、拡散反射光下において透明以外の有色の色彩を有し、第１の潜像画線が第１の方向に万線状に配列された第１の潜像要素が、第１の方向と異なり、中心点から放射状に拡大あるいは縮小する方向である第４の方向に複数配列された第一の潜像画像と成る第１の潜像画線群と、第２の潜像画線が第１の方向に万線状に配列された第２の潜像要素が、第４の方向に複数配列された第二の潜像画像と成る第２の潜像画線群と、・・・、第ｎの潜像画線が第１の方向に万線状に配列された第ｎの潜像要素が、第４の方向に複数配列された第ｎの潜像画像と成る第ｎの潜像画線群を備えたことで、彩紋状模様が形成され、第１の潜像要素から第ｎの潜像要素は、同一形状、かつ、中心点に対して順次連続的に第４の方向に異なる形状で配置されることで、  基材を拡散反射光下で観察した場合、彩紋状模様が視認され、基材を正反射光下において傾きを連続的に変化させると、第一の潜像画像から第ｎの潜像画像が、第４の方向に連続的に拡大縮小して視認可能なことを特徴とする。
【発明の効果】
【００３６】
本発明は、パラパラ漫画方式の動画効果を実現するための画像構成に、モアレ拡大現象で発現する画像構成の特徴を融合させることで、従来の技術にあった課題を解決した技術である。まず、通常の循環型の動画効果のように動きを対の関係にする必要がなく、非循環型の動画のように単一方向の動きを表した画像でループする動画効果を実現できるため、動画効果の発現に必要とする原画像の枚数も少なくて良い。結果として、画像間の差異を小さくする中間の画像のために原画像を多く割り当てることから、動きのよりスムーズな動画効果を発現できる。
【００３７】
本発明の潜像印刷物では、蒲鉾状画線群と潜像画線群の刷り合わせがずれ、原画像の一部が再生されなかった場合でも、正反射光下でスムーズな動画効果が必ず安定して発現することから、観察者に違和感を生じさせることがない。
【００３８】
安定した動画効果が再現されることから、蒲鉾状画線群と潜像画線群とを一対に重なるように刷り合わせを制御する必要がなくなった。これによって、製造難度が大きく低下し、より製造しやすくなった。
【００３９】
基本的な動画の画像構成は、パラパラ漫画方式であるため、原画像のデザイン上の制約はモアレ拡大現象を用いた特許文献３の技術と比較して相対的に小さく、また、回転や拡大、縮小といった特許文献３の技術では不可能であった動画表現が可能である。
【００４０】
本発明の潜像画線群は、それ自体が一定の意匠性を有する彩紋状の模様を構成し、拡散反射光下で視認できる。正反射光下では、模様の一部のみがサンプリングされて潜像となって動画効果を生じるため、拡散反射下と正反射光下で視認できる画像がチェンジする効果を有する。
【００４１】
本発明の潜像画線群は、透明以外の視認可能な色彩を有するため、潜像画線群を透明及び半透明で形成していた従来技術と比較して、正反射光下で出現する潜像画像の視認性が高い。
【００４２】
本発明の潜像印刷物は、ホログラムのように専用の作製装置や機械を必要とせず、一般的な機能性材料と、既存の印刷機を用いることで作製可能であり、また、特に高い刷り合わせ精度も要求しないことから生産が容易であり、コストパフォーマンスが高い。
【図面の簡単な説明】
【００４３】
【図１】本発明の第１の実施の形態における潜像印刷物の一例を示す。
【図２】第１の実施の形態における印刷画像の構成の概要を示す。
【図３】第１の実施の形態における蒲鉾状画線群を示す。
【図４】第１の実施の形態における集合潜像画線群を示す。
【図５】第１の実施の形態における集合潜像画線群を示す。
【図６】第１の実施の形態における集合潜像画線群と原画像を示す。
【図７】第１の実施の形態における原画像の構成を示す。
【図８】第１の実施の形態における原画像の構成を示す。
【図９】第１の実施の形態における蒲鉾状画線群と集合潜像画線群の重ね合わせの位置関係の一例を示す。
【図１０】第１の実施の形態における蒲鉾状画線群と集合潜像画線群の重ね合わせの位置関係の一例とその効果を示す。
【図１１】第１の実施の形態における蒲鉾状画線群と集合潜像画線群の重ね合わせの位置関係の一例とその効果を示す。
【図１２】第１の実施の形態における蒲鉾状画線群と集合潜像画線群の重ね合わせの位置関係の一例とその効果を示す。
【図１３】本発明の第２の方向を示す。
【図１４】第１の原画像要素と第ｎの原画像要素における画像加工処理の例を示す。
【図１５】本発明の第２の実施の形態における潜像印刷物の一例を示す。
【図１６】第２の実施の形態における印刷画像の構成の概要を示す。
【図１７】第２の実施の形態における集合潜像画線群と原画像の構成を示す。
【図１８】第２の実施の形態における原画像の構成を示す。
【図１９】第２の実施の形態における原画像の構成を示す。
【図２０】第２の実施の形態における蒲鉾状画線群と集合潜像画線群の重ね合わせの位置関係の一例とその効果を示す。
【図２１】本発明の第３の実施の形態における潜像印刷物の一例を示す。
【図２２】第３の実施の形態における印刷画像の構成の概要を示す。
【図２３】第３の実施の形態における集合潜像要素群を示す。
【図２４】第３の実施の形態における集合潜像要素群と原画像の構成を示す。
【図２５】第３の実施の形態における潜像画線群の構成を示す。
【図２６】第３の実施の形態における原画像の構成を示す。
【図２７】第３の実施の形態における原画像の構成を示す。
【図２８】セキュリティ印刷物における彩紋の一例を示す。
【図２９】本発明に適用可能な彩紋の一例を示す。
【図３０】第３の実施の形態における蒲鉾状画線群と集合潜像画線群の重ね合わせの位置関係の一例を示す。
【図３１】第３の実施の形態における蒲鉾状画線群と集合潜像画線群の重ね合わせの位置関係の一例とその効果を示す。
【図３２】第３の実施の形態における蒲鉾状画線群と集合潜像画線群の重ね合わせの位置関係の一例とその効果を示す。
【図３３】本発明の第４の実施の形態における潜像印刷物の一例を示す。
【図３４】第４の実施の形態における印刷画像の構成の概要を示す。
【図３５】第４の実施の形態における彩紋を示す。
【図３６】第４の実施の形態における原画像の構成を示す。
【図３７】第４の実施の形態における原画像の構成を示す。
【図３８】第４の実施の形態における集合潜像画線群と原画像の構成を示す。
【図３９】第４の実施の形態における蒲鉾状画線群と集合潜像画線群の重ね合わせの位置関係の一例とその効果を示す。
【図４０】本発明の第５の実施の形態における潜像印刷物の一例を示す。
【図４１】第５の実施の形態における印刷画像の構成の概要を示す。
【図４２】第５の実施の形態における彩紋を示す。
【図４３】第５の実施の形態における原画像の構成を示す。
【図４４】第５の実施の形態における集合潜像要素群と原画像の構成を示す。
【図４５】第５の実施の形態における蒲鉾状画線群と集合潜像画線群の重ね合わせの位置関係の一例とその効果を示す。
【図４６】本発明の第６の実施の形態における潜像印刷物の一例を示す。
【図４７】第６の実施の形態における印刷画像の構成の概要を示す。
【図４８】第６の実施の形態における集合潜像画線群と原画像の構成を示す。
【図４９】第６の実施の形態における原画像の構成を示す。
【図５０】第６の実施の形態における原画像の構成を示す。
【図５１】第６の実施の形態における蒲鉾状画線群と集合潜像画線群の重ね合わせの位置関係の一例とその効果を示す。
【図５２】従来技術における原画像の構成を示す。
【図５３】従来技術における潜像画線群の構成を示す。
【図５４】従来技術における蒲鉾状画線群と潜像要素群の重ね合わせの位置関係の一例とその効果を示す。
【図５５】従来技術における蒲鉾状画線群と潜像要素群の重ね合わせの位置関係の一例とその効果を示す。
【図５６】従来技術における蒲鉾状画線群と潜像要素群の重ね合わせの位置関係の一例とその効果を示す。
【発明を実施するための形態】
【００４４】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００４５】
（第１の実施の形態）
第１の実施の形態では、潜像印刷物（１）の動画効果が、原画像要素の形状が変化せず、一定の方向にのみ移動する、最も単純な形態について説明する。図１に、本発明における潜像印刷物（１）を示す。図１（ａ）に示すのは、潜像印刷物（１）の正面図であり、図１（ｂ）に示すのは、潜像印刷物（１）のＡ−Ａ’ラインにおける断面図である。
【００４６】
潜像印刷物（１）は、基材（２）上の一部に、印刷画像（３）を備えている。基材（２）は、印刷画像（３）が形成できれば、紙であってもプラスティックであっても、金属等であってもよく、その材質は問わない。印刷画像（３）は、いかなる色彩であっても良く、また透明や半透明であっても良い。また、基材（２）の大きさについても、特に制限はない。
【００４７】
本発明の印刷画像（３）の構成の概要を図２に示す。印刷画像（３）は、蒲鉾状画線群（４）及び集合潜像画線群（５）から成る。積層順としては、蒲鉾状画線群（４）の上に集合潜像画線群（５）が重なって成る。
【００４８】
まず、蒲鉾状画線群（４）について具体的に説明する。図３に示すのは、蒲鉾状画線群（４）であり、盛り上がりを有する、特定の画線幅（Ｗ１）の蒲鉾状画線（６）が第１の方向（Ｓ１）に第１のピッチ（Ｐ１）で万線状に配置されることで形成されて成る。
【００４９】
図３において蒲鉾状画線（６）の中に縦縞の線が複数配列されているように示されているが、これは他の線と区別するためのパターンであり、実際には単純な一本の線である（以下、他の画線も同様）。拡散反射光下において、蒲鉾状画線（６）の色彩は問わず、いかなる色彩であっても良く、透明であっても半透明であっても良い。なお、本発明における「万線状に配置する」とは、蒲鉾状画線（６）や潜像画線（９）等の印刷画像（３）の一部を構成する特定の要素が特定の方向に特定のピッチで連続して規則的に配置されることを指す。
【００５０】
また、蒲鉾状画線（６）は、明暗フリップフロップ性又はカラーフリップフロップ性の少なくともどちらか一方の特性を有し、正反射光下では強い反射光を発する特性を有する必要がある。本発明における「明暗フリップフロップ性」とは、物質に光が入射した場合に、物質の明度が変化する性質を指し、「カラーフリップフロップ性」とは、物質に光が入射した場合に、物質の色相が変わる性質を指す。
【００５１】
明暗フリップフロップ性を備えた印刷で用いるインキとしては、金色や銀色等のメタリック系の金属インキや、グロスタイプの着色インキがある。一般的に艶があると感じられる物質は、明暗フリップフロップ性を備える。例えば、銀インキは、光を強く反射しない拡散反射光下では暗い灰色にしか見えないが、光を強く反射する正反射光下では、より淡い灰色か、あるいは白色に見える。このように、「明暗フリップフロップ性」を有するインキは、正反射光下で明度が変化する。
【００５２】
一方のカラーフリップフロップ性を備えた印刷で用いるインキとしては、パールインキや液晶インキ、ＯＶＩ（Ｏｐｔｉｃａｌ  Ｖａｒｉａｂｌｅ  Ｉｎｋ）、ＣＳＩ（Ｃｏｌｏｒ  Ｓｈｉｆｔｉｎｇ  Ｉｎｋ）等が存在する。多くのインキは物体色を有するが、虹彩色パールインキは、無色透明である。例えば、赤色の虹彩色パールインキは、拡散反射光下では無色透明だが、正反射光下では赤色の干渉色を発する。このように、「カラーフリップフロップ性」を備えたインキは、正反射光下で色相が変化する。蒲鉾状画線（６）は、以上のような光学特性を備える必要がある。
【００５３】
それぞれの蒲鉾状画線（６）には、一定の盛り上がり高さが必要であり、少なくとも３μｍ以上の盛り上がり高さを有することが、好ましい。３μｍより低い高さで形成した場合でも、要素のピッチを狭く形成することで、本発明の効果を再現することは可能であるものの、潜像の視認性が極端に低くなったり、前述のように出現する原画像が不鮮明にぼやけて再生されたりする場合が多いため好ましい形態とはいえない。また、盛り上がりの高さの上限に関しては性能上の上限は存在しないが、大量に積載した場合の安定性や耐摩擦性、流通適正等を考慮し１ｍｍ以下とする。
【００５４】
本発明における蒲鉾状画線群（４）は、構成する蒲鉾状画線（６）に一定の盛り上がり高さが必須であることから、印刷画線に盛り上がりを形成可能な印刷方式で印刷することが好ましい。すなわち、フレキソ印刷やグラビア印刷、凹版印刷やスクリ−ン印刷等で形成してもよい。また、実施の形態のように、印刷で直接画線の盛り上がりを形成するのではなく、エンボス加工や透き入れによって基材（２）上に凹凸構造を形成して、その上に印刷皮膜を形成したり、フィルムを貼付したりして蒲鉾状画線群（４）としてもよい。
【００５５】
また、蒲鉾状画線（６）に高いカラーフリップフロップ性を付与したい場合には、蒲鉾状画線（６）の画線の表面にカラーフリップフロップ性を有する顔料が揃って配向していることが好ましい。このような状態は、一般にリーフィングと呼ばれ、優れたリーフィング効果を得る方法としては、例えば、特開２００１−１０６９３７号公報に記載の技術のように顔料に撥水及び撥油性を付与する方法がある。この方法を用いた場合には、蒲鉾状画線（６）が正反射光下で発する反射光の色彩をより豊かにすることができるため好ましい。
【００５６】
前述のようなリーフィング効果を有する機能性顔料と着色顔料を単一のインキ中に配合した場合、単一のインキで印刷したにも関わらず、リーフィング効果を有する機能性顔料と着色顔料が蒲鉾状画線（６）の上層と下層に別々の層構造を形成するため、一見すると着色インキ層と機能性顔料層を別々のインキで印刷した場合と同等の、極めて高いカラーフリップフロップ性を発揮するため、特に有効である。
【００５７】
次に、集合潜像画線群（５）について説明する。本発明の集合潜像画線群（５）の基本的な画線構成とは、引用文献１や引用文献２と同様にパラパラ漫画方式の動画効果（相関のある複数の画像をチェンジさせる効果）を実現させるための画線構成であり、出現させたいと意図する画像を特定のピッチ及び画線幅の画線で分断して分断画線化し、最終的にそれぞれの画線を集合させる分断画線の集合体の構造を有する。以下に具体的に説明する。
【００５８】
図４に示すのは、集合潜像画線群（５）であり、一定の画線幅（Ｗ２）の集合潜像画線（８）が、蒲鉾状画線（６）の配置ピッチと同じ第１のピッチ（Ｐ１）で第１の方向（図中Ｓ１方向）に連続して配置されて成る。集合潜像画線（８）の画線幅（Ｗ２）の値は、第１のピッチ（Ｐ１）以下であれば良い。第１の実施の形態の例においては、それぞれの集合潜像画線（８）の中には、任意の画線幅（Ｗ３、Ｗ４、Ｗ５、Ｗ６、Ｗ７）の５種類の潜像画線（９−１、９−２、９−３、９−４、９−５）が互いに重なり合うことなく配置されて成る。また、潜像画線間の空隙（非画線部）はあってもなくても良い。
【００５９】
それぞれの画線幅については、すべての潜像画線（９−１、９−２、９−３、９−４、９−５）の画線幅（Ｗ３、Ｗ４、Ｗ５、Ｗ６、Ｗ７）の合計の幅が集合潜像画線（９）の画線幅（Ｗ２）以下である条件を満たせば、同じであっても異なっていても良い。画線幅が大きい潜像画線（９−１、９−２、９−３、９−４、９−５）で形成された画像は、相対的に広い角度範囲で視認可能であり、画線幅が小さい潜像画線（９−１、９−２、９−３、９−４、９−５）で形成された画像は、相対的に狭い角度範囲で視認される。
【００６０】
それぞれの潜像画線（９−１、９−２、９−３、９−４、９−５）の画線幅を変更した上でスムーズな動画効果を実現することは可能だが、画線設計がより複雑になる傾向にある。このことからスムーズで安定した動画効果を容易に実現するには、それぞれの画線幅は同じにすることが好ましい。
【００６１】
図５に、集合潜像画線群（５）を構成する５種類の潜像画線群（５−１、５−２、５−３、５−４、５−５）を示す。集合潜像画線群（５）は、第１の潜像画線群（５−１）、第２の潜像画線群（５−２）、・・・、第５の潜像画線群（５−５）から成るが、代表例として、特定の画線幅（Ｗ３）の第１の潜像画線（９−１）によって構成された第１の潜像画線群（５−１）を拡大して示す。図５（ａ）に示すすべての潜像画線群（５−１、５−２、５−３、５−４、５−５）は、図５（ｂ）に示す、潜像要素（１３）が、第２の方向（図中Ｓ２方向）に複数配列されて成る。潜像要素（１３）は、有意味情報となるアルファベットの「ＪＡＰＡＮ」の文字が第１の方向（Ｓ１）に分断された構成から成る。
【００６２】
有意味情報とは、一つで意味のある図柄のことであり、文字、図形、記号等を意図して配置して成る。なお、第１の潜像画線群（５−１）における潜像要素（１３）については、第１の有意味情報となる第１の潜像要素（１３−１）といい、第２の潜像画線群（５−２）における潜像要素（１３）については、第２の有意味情報となる第２の潜像要素（１３−２）といい、・・・、第５の潜像画線群（５−５）における潜像要素（１３）については、第５の有意味情報となる第５の潜像要素（１３−５）という。
【００６３】
各潜像画線群（５−１、５−２、５−３、５−４、５−５）は、図５（ｃ）に示すように、それぞれ特定の画線幅（Ｗ３、Ｗ４、Ｗ５、Ｗ６、Ｗ７）の各潜像画線（９−１、９−２、９−３、９−４、９−５）が蒲鉾状画線（６）の配置ピッチと同じ第１のピッチ（Ｐ１）で第１の方向（図中Ｓ１方向）に万線状に配列して成る各潜像要素（１３−１、１３−２、１３−３、１３−４、１３−５）が、第２の方向（Ｓ２）に連続して配置され、それぞれ異なる画像を表して成る。なお、第１の潜像要素（１３−１）を構成する潜像画線は、第１の潜像画線（９−１）といい。第２の潜像要素（１３−２）を構成する潜像画線は、第２の潜像画線（９−２）といい、・・・、第５の潜像要素（１３−５）を構成する潜像画線は、第５の潜像画線（９−５）という。
【００６４】
図６に５種類の潜像画線群（５−１、５−２、５−３、５−４、５−５）の表す画像の基になる５種類の原画像（７−１、７−２、７−３、７−４、７−５）を示す。すべての原画像（７−１、７−２、７−３、７−４、７−５）において、二列に並んだアルファベットの「ＪＡＰＡＮ」の文字が第２の方向（Ｓ２）に位相をずらして連続して複数配置された構成を有する。この、図６（ｂ）に示す、アルファベットの「ＪＡＰＡＮ」の文字を、原画像要素（１０）という。なお、第２の方向は、第１の実施の形態において、第１の方向と直交する方向とするが、第２の方向はこれに限定されるものではない。
【００６５】
それぞれの潜像画線群（５−１、５−２、５−３、５−４、５−５）は、基になる５種類の原画像（７−１、７−２、７−３、７−４、７−５）を特定の幅（Ｗ３、Ｗ４、Ｗ５、Ｗ６、Ｗ７）の潜像画線（９−１、９−２、９−３、９−４、９−５）によって、特定のピッチである第１のピッチ（Ｐ１）で分断した構造を有する。
【００６６】
なお、これ以後、具体的に個別の原画像（７−１、７−２、７−３、７−４、７−５）を指すのではなく、原画像全般を指す場合には原画像（７）と記し、同じく個別の潜像画線（９−１、９−２、９−３、９−４、９−５）を指すのではなく、潜像画線全般を指す場合には潜像画線（９）と記す。また、これ以後登場する複数の同列の物体が存在する要素についても、具体的な個別の要素を指すのではなく、要素全般を指す意味では場合には「名称（単体数字）」と表記する。
【００６７】
ここで本発明の特徴である、蒲鉾状画線群（４）と潜像画線群（５）の刷り合わせがずれた場合でも、刷り合わせに依存せず、正反射光下でスムーズなパラパラ漫画方式の動画効果を生じさせるための、原画像（７）構成上の工夫について説明する。なお、説明を簡潔にするために、原画像（７）にある二列の原画像要素（１０）であるアルファベットの「ＪＡＰＡＮ」の文字列のうち、図６（ａ）に示すＡ辺側にある一列の原画像要素（１０）であるアルファベットの「ＪＡＰＡＮ」の文字列に限定して説明する。
【００６８】
まず、本発明では、従来の循環型の動画効果を有した技術と同様に、原画像（７）全体がループする循環構成を有する。例えば、第１の原画像（７−１）→第２の原画像（７−２）→第３の原画像（７−３）→、・・・、→第ｎの原画像（７−ｎ）を一サイクルとした画像の繋がりを有し、かつ、終点となる原画像（７−ｎ）が、始点となる原画像（７−１）と連続した画像として繋がる構成を有する（ｎは３以上の整数）。
【００６９】
図７の例では、第１の原画像（７−１）→第２の原画像（７−２）→第３の原画像（７−３）→第４の原画像（７−４）→第５の原画像（７−５）を一サイクルとし、第５の原画像（７−５）から再び第１の原画像（７−１）へと繋がる循環構成を有する。
【００７０】
なお、ここで、循環構成の原画像（７）において再生順に並べた場合に隣り合う原画像（７）の関係を「隣り合う関係」と定義する。例えば、第１の実施の形態では第２の原画像（７−２）は、第１の原画像（７−１）及び第３の原画像（７−３）と隣り合う関係にあり、第５の原画像（７−５）は、第４の原画像（７−４）及び第１の原画像（７−１）と隣り合う関係にある。
【００７１】
本発明の独自の工夫は、原画像（７）が循環する構成のみにあるのではなく、図８に示すようにそれぞれ共通する画像要素である原画像要素（１０−１、１０−２、１０−３、・・・、１０−ｎ）の集合によってすべての原画像（７）を構成し、それぞれの原画像要素（１０）が位相、配置角度、形状及び大きさのうちの、少なくともいずれか一つが異なる関係を有してすべての原画像（７）において循環する構成を有することである。この基本的な原画像（７）の構成は、モアレ拡大現象によって生じた拡大モアレが、一定の規則性を有して複数連続して出現する構成に由来するものであり、本発明では原画像要素（１０）を拡大モアレに見立てて原画像（７）を構成する。以下に原画像（７）の画像構成について具体的に説明する。
【００７２】
前述のとおり、第１の実施の形態におけるそれぞれの原画像要素（１０）とはアルファベットの「ＪＡＰＡＮ」の文字を指す。図８（ａ）に示すのは、第１の原画像（７−１）であり、画像の左上端に第１−１の原画像要素（１０−１（１））があり、第１−１の原画像要素（１０−１（１））に対して第２の方向（Ｓ２）に位相がずれた位置に第１−２の原画像要素（１０−１（２））があり、同じく第１−２の原画像要素（１０−１（２））に対して第２の方向に位相がずれた位置に第１−３の原画像要素（１０−１（３））があり、・・・、第１−ｉの原画像要素（１０−１（ｉ））がある（ｉは３以上の整数）。なお、これ以後、それぞれの原画像要素（１０）を示す場合、第Ｘ−Ｙの原画像要素（１０−Ｘ（Ｙ））と記載する。それぞれの第Ｘ−Ｙの原画像要素（１０−Ｘ（Ｙ））のＸの数字は、第Ｘの原画像（７−Ｘ）の中に含まれる原画像要素（１０）であることを指し、Ｙはひとつの原画像（７）の中の第一番目の原画像要素（１０）から第Ｙ番目に配置された原画像要素（１０）であることを指す。
【００７３】
ここで、一つの原画像（７）の中で第２の方向及び第２の方向と正反対の方向において、最も近くに存在する原画像要素（１０）同士の関係を「隣接した関係」と呼ぶ。
【００７４】
具体的には、第１−２の原画像要素（１０−１（２））は、第１−１の原画像要素（１０−１（１））及び第１−３の原画像要素（１０−１（３））と隣接した関係にある。第１の実施の形態においては、それぞれの原画像要素（１０）同士が特定の方向に位相をずらして配置されてなるが、配置角度が異なっていたり、形状及び大きさのいずれか一つが異なっていたりしても良い。なお、原画像要素（１０）の配置角度と位相の両方が異なる具体例については、第２の実施の形態で説明し、配置角度が異なる具体例については、第３の実施の形態で説明し、大きさが異なる具体例については、第４の実施の形態で説明し、大きさと形状の両方が異なる具体例については、第５の実施の形態で説明する。
【００７５】
本発明では、原画像要素（１０）において「位相、配置角度、形状及び大きさの、少なくともいずれか一つが異なる」形状を「略相似である形状」、すなわち「略相似形状」と定義する。これら、隣接した原画像要素（１０）が略相似形状である画像の構成は、モアレ拡大現象を用いた動画効果で出現する拡大モアレがそれぞれ略相似形状である画像の構成に倣った構成である。
【００７６】
以上の構成を適用することで、画線構成は、パラパラ漫画方式の動画効果と同じであって、原画像（７）の画像の構成は、モアレ拡大現象を利用した動画形態と同じである一つの潜像画線群（５）を形成することができる。加えて、本発明においては、複数の潜像画線群（５）に連続してスムーズに変化する動画としての繋がりを与えるために、すべての原画像要素（１０）に対し、以下に説明する構成が必要となる。
【００７７】
印刷画像（３）の領域から外れて原画像要素（１０）が見切れている場合や、出現や消失のために原画像要素（１０）に対して特殊な画像処理を施している場合（後述する）を除いて、それぞれの原画像（７）の中には、基本的に同じ数の原画像要素（１０）が存在する。そして隣り合う原画像（７）において、略相似形状の原画像要素（１０）が配置されて成る。
【００７８】
この隣り合う原画像（７）において、略相似形状の原画像要素（１０）同士の関係を「対応した関係」と呼ぶ。それぞれ対応した関係で配置された互いの原画像要素（１０）同士は、先に説明した隣接した関係の原画像要素（１０）同士と同様に、位相、配置角度、形状及び大きさの、少なくともいずれか一つが異なる。
【００７９】
加えて、隣り合って配置される原画像（７）間では、他のすべての原画像要素（１０）よりも、対応した関係で配置された原画像要素（１０）同士は位相、配置角度、形状及び大きさの、少なくともいずれか一つが異なるものの、他のすべての原画像要素（１０）と比較して、その異なる割合が小さい。すなわち、隣り合う原画像（７）間で対応した関係で配置された原画像要素（１０）同士は、隣接した関係の原画像要素（１０）同士を含む、他の原画像要素（１０）すべてと比較して、最も近い位置にあったり、最も近い形状をしていたりする必要がある。このように、他の原画像要素（１０）すべてと比較して、最も近い位置にあったり、最も近い形状をしていたりすることを、「最も近似した略相似形状である」と定義する。
【００８０】
そして、第１の原画像（７−１）における任意の第１−ｉの原画像要素（１０−１（ｉ））は、第２の原画像（７−２）において対応した関係で配置された第２−ｉの原画像要素（１０−２（ｉ））と最も近似した略相似形状であり、第２の原画像（７−２）の第２−ｉの原画像要素（１０−２（ｉ））は、同時に第３の原画像（７−３）において対応した関係で配置された第３−ｉの原画像要素（１０−３（ｉ））と最も近似した略相似形状であり、・・・、第ｎ−１の原画像（７−（ｎ−１））の第（ｎ−１）−ｉの原画像要素（１０−（ｎ−１）（ｉ））は、同時に第ｎの原画像（７−ｎ）において対応した関係で配置された第ｎ−ｉの原画像要素（１０−ｎ（ｉ））と最も近似した略相似形状である。そして、第ｎの原画像（７−ｎ）において対応した関係で配置された第ｎ−ｉの原画像要素（１０−ｎ（ｉ））は、第１の原画像（７−１）において第１−ｉの原画像要素（１０−１（ｉ））と隣接した、略相似形状の第１−（ｉ＋１）の原画像要素（１０−１（ｉ＋１））または、第１−（ｉ−１）の原画像要素（１０−１（ｉ−１）と最も近似した略相似形状である。
【００８１】
ここで重要なことは、任意の第１−ｉの原画像要素（１０−１（ｉ））は、第１の原画像（７−１）から第ｎの原画像（７−ｎ）まで対応する関係の原画像要素（１０）を有するが、第ｎの原画像（７−ｎ）の第ｎ−ｉの原画像要素（１０−ｎ（ｉ））は、再び同じ第１の原画像（７−１）の第１−ｉの原画像要素（１０−１（ｉ））に対応する関係となるのではなく、第１−ｉの原画像要素（１０−１（ｉ））と隣接する関係にあって略相似形状の第１−（ｉ＋１）の原画像要素（１０−１（ｉ＋１））又は第１−（ｉ−１）の原画像要素（１０−１（ｉ−１））に対応する関係となる。
【００８２】
本発明において、任意の第１−ｉの原画像要素（１０−１（ｉ））が、第１の原画像（７−１）から第ｎの原画像（７−ｎ）まで対応する関係の原画像要素（１０）を有し、第ｎの原画像（７−ｎ）の第ｎ−ｉの原画像要素（１０−ｎ（ｉ））が、再び同じ第１の原画像（７−１）の第１−ｉの原画像要素（１０−１（ｉ））に対応する関係となることを「円環状の循環構成」と定義し、任意の第１−ｉの原画像要素（１０−１（ｉ））が、第１の原画像（７−１）から第ｎの原画像（７−ｎ）まで対応する関係の原画像要素（１０）を有し、第ｎの原画像（７−ｎ）の第ｎ−ｉの原画像要素（１０−ｎ（ｉ））が、第１−ｉの原画像要素（１０−１（ｉ））と隣接する関係にあって略相似形状の第１−（ｉ＋１）の原画像要素（１０−１（ｉ＋１））又は第１−（ｉ−１）の原画像要素（１０−１（ｉ−１））に対応する関係となることを「螺旋状の循環構成」と定義する。本発明のすべての原画像要素（１０）は、螺旋状の循環構成で配置されることを最大の工夫とする。
【００８３】
簡潔にイメージで説明すると、第１−ｉの原画像要素（１０−１（ｉ））は、第１から第ｎまでの原画像（７−１、・・・７−ｎ）を一巡して再び第１の原画像（７−１）に戻った場合に、第１−（ｉ−１）の原画像要素（１０−１（ｉ−１））又は第１−（ｉ＋１）の原画像要素（１０−１（ｉ＋１））となる。そして再び、第１から第ｎまでの原画像（７−１、・・・７−ｎ）を一巡して再び第１の原画像（７−１）に戻った場合に、第１−（ｉ−２）の原画像要素（１０−１（ｉ−２））又は第１−（ｉ＋２）の原画像要素（１０−１（ｉ＋２））となる。
【００８４】
図８（ｂ）で具体的に説明すると、第１の原画像（７−１）における第１−１の原画像要素（１０−１（１））は、第２の原画像（７−２）の第２−１の原画像要素（１０−２（１））と対応した関係で配置され、第２の原画像（７−２）の第２−１の原画像要素（１０−２（１））は、第３の原画像（７−３）の第３−１の原画像要素（１０−３（１））と対応した関係で配置され、第３の原画像（７−３）の第３−１の原画像要素（１０−３（１））は、第４の原画像（７−４）の第４−１の原画像要素（１０−４（１））と対応した関係で配置され、第４の原画像（７−４）の第４−１の原画像要素（１０−４（１））は、第５の原画像（７−５）の第５−１の原画像要素（１０−５（１））と対応した関係で配置された構成を有する。そして、第５の原画像（７−５）の第５−１の原画像要素（１０−５（１））は、第１の原画像（７−１）の第１−２の原画像要素（１０−１（２））と対応した関係で配置されている。
【００８５】
それぞれの原画像（７）において原画像要素（１０）の関係を閉じられた円環状の循環構成とするのではなく、変化し続ける螺旋状の循環構成を適用することによって、従来の循環型の動画効果のように対の動きを必要とせずに、すべての原画像要素（１０）が印刷画像（３）中で留まることなく一定の方向に変化し続ける動画効果を得ることができる。
【００８６】
以上が、本発明の原画像（７）を構成する上での最大の工夫であり、すなわち原画像（７）を略相似形状の複数の原画像要素（９）の集合から構成し、螺旋状の循環し、かつ、対応した関係で配置された原画像要素（１０）を最も近似した略相似形状に設計することについての説明である。この対応する関係にある原画像要素（１０）同士を必ず最も近似した略相似形状とすることは、動画効果を奏するパラパラ漫画方式の分断画線の集合体の構造と、モアレ拡大現象によって出現する画像の構成を融合させるために不可欠な構成である。
【００８７】
よって、本発明の集合潜像画線群（５）の特徴とは、基本的な画線構成についてはパラパラ漫画方式の動画効果を実現するための分断画線の集合体の構造を有するが、一方で原画像（７）の基本的な画像の構成は、モアレ拡大現象によって生じる拡大モアレの構成と同様に、隣接する原画像要素（１０）を一定の規則に従って複数配置した構成（本発明においては略相似形状の構成）とし、そして最後に、対応した関係で配置された原画像要素（１０）を最も近似した略相似形状とすることで二つの技術を動画として無理なく結びつけたことにある。結果としてパラパラ漫画方式の動画形態の画線構成とモアレ拡大現象の動画形態の画像の構成を組み合わせた動画とすることで二つの技術のそれぞれの長所を無理なく融合させたものである。
【００８８】
以上のように、原画像（７）が複数の原画像要素（１０）の集合から成り、対応した関係で配置された原画像要素（１０）が最も近似した略相似形状である画線構成で原画像（７）を構成すると、結果としてすべての原画像（７）は、目視上いずれも似通った画像となり、原画像（７）間の違いをほとんど認識できず、それぞれ区別がつかない。このため、仮にいずれか一つの原画像（７）が再生されなかったとしても、いずれの原画像（７）が再生されなかったかを観察者が判断することは極めて難しい。
【００８９】
一方、蒲鉾状画線（６）の上に重なった潜像画線（９）が再生されて動画効果が発現した場合、原画像（７）中のすべての原画像要素（１０）が対の動きを必要とすることなく、傾ける方向を途中で変えないことを前提として一定の方向にのみ動いたり、一定方向にのみ回転したり、一定の方向性を有して大きさや形状が変化したりする効果が延々とループすることから、従来の循環型の動画効果と比較してよりスムーズな動画効果を実現でき、より容易に観察者は、動画効果を認識することができる。
【００９０】
このように、本発明の原画像（７）の構成を用いると、画像全体のデザインや動き自体のデザインにおいて制約が生じるものの、認識しやすい動画効果が生じる上、いずれかの原画像（７）が再生されなかったとしても観察者がその差異を認識できない、安定した品質を担保できる。
【００９１】
ここで、本発明の略相似形状に関する具体的な数値について以下に述べる。ここでは対応した関係にある原画像要素（１０）における最も近似した略相似形状の関係を満たす、原画像要素（９）間の位相、大きさ、配置角度等の差異の具体的な数値について記載する。
【００９２】
印刷画像（３）のサイズにも影響するが、例えば３０ｍｍ×３０ｍｍ以下の印刷画像（３）を設計すると仮定すると、位相が変化したり、角度が変化したり、大きさが変化するといったいかなる変化であっても、まず大前提として対応する原画像要素（９）の変化の大きさがいずれの部分においても３ｍｍを越えてはならない。３ｍｍを越える場合には、動きの変化が大きすぎてスムーズな動きとは認識されないためである。更に２ｍｍ以下とすることが好ましい。
【００９３】
個別の例について説明すると、前述の動きの大きさを３ｍｍ以下とすることを満足することが大前提であることに加えて、第２の方向（Ｓ２）に位相が変化する場合、対応する関係にある原画像要素（９）間の第２の方向（Ｓ２）への位相のずれは原画像要素（９）の第２の方向（Ｓ２）の長さ以下の距離で設計することが望ましく、よりスムーズな動画効果を実現するためには、第２の方向（Ｓ２）の長さの５０％以下とすることがより好ましい。
【００９４】
大きさの変化に関しては、約３ｍｍ×３ｍｍ以下の極端に小さな原画像要素（１０）を構成するのでなければ、対応する関係にある原画像要素（１０）間の大きさの違いは、７０〜１３０％の間に止めることが望ましく、特に９０〜１１０％の違いに制限することがより好ましい。また、配置角度変化に関しては、対応する関係にある原画像要素（１０）間の配置角度差を２０°以内、より望ましくは１０°以内とすることが好ましい。
【００９５】
略相似形状な形状の違いに関しては、最も近似した略相似形状の範囲を具体的に述べることは難しいが、形状が変化するには物体の一部の位相や大きさ、配置角度等が単独に、あるいは同時に変化する必要があることを考慮すると、前述した位相や配置角度、大きさの好ましい範囲で成される形状変化であることが好ましいと言える。
【００９６】
また、引用文献３（特許第５１３１７８９号公報）で示した「モアレ拡大現象」を利用して変化させることが可能な形状変化と同等な形状変化は実現可能であり、特許第５１３１７８９号公報に記載した技術で表現できる程度の形状変化の範囲であれば本技術を用いて実現可能である。これは、本発明における原画像（７）の画像の構成が、引用文献３の技術のモアレ拡大現象によって出現する画像の構成を利用した画像としているためである。形状変化における望ましくない具体例としては、図５２で用いた鳥の画像における、最も大きく羽根の開きが最大の大きさに達した原画像（Ａ−４）や、あるいは羽根の開きが最小である原画像（Ａ−１）のような形状の特徴が顕著に異なる画像を原画像（７）として設定してはならない。以上が、本発明における具体的な略相似形状の構成である。
【００９７】
なお、図８（ａ）を用いて前述したように、原画像（７）は、複数の原画像要素（１０）から構成されていることから、図６（ｂ）に示した、原画像（７）を分断して成る潜像画線群（５−１、５−２、５−３、５−４、５−５）においては、複数の原画像要素（１０）を分断して成る複数の潜像要素（１３）を有する。また、一つの原画像（７）において、隣接する原画像要素（１０）同士が互いに略相似形状であることから、原画像要素（１０）を分断することで構成される潜像要素（１３）においても、一つの潜像画線群（５）において、隣り合う潜像要素（１３）同士が互いに略相似形状となる。
【００９８】
さらに、図８（ｂ）を用いて前述したように、隣り合う原画像（７）において、それぞれ対応した関係で配置された原画像要素（１０）同士は、最も近似した略相似形状であることから、原画像（７）を分断することで構成した潜像画線群（５−１、５−２、５−３、５−４、５−５）を構成する潜像要素（１３）においても、隣り合う潜像画線群（５−１、５−２、５−３、５−４、５−５）において、それぞれ対応した関係で配置された潜像要素（１３）同士は、最も近似した略相似形状となる。
【００９９】
以上のような構成の原画像（７）を潜像画線（９）に分断化して潜像画線群（５−１、５−２、５−３、５−４、５−５）とし、図４に示すような構成で集合潜像画線群（５）を構成する。この集合潜像画線群（５）は、正反射光下で蒲鉾状画線（６）が発する色彩と異なる色彩である必要がある。この特性は、正反射光下で潜像を一定のコントラストで可視化させるために必要となる特性である。
【０１００】
また、拡散反射光下で集合潜像画線群（５）は、不可視であることが好ましいため、透明や半透明であるか、あるいは淡い色彩であることが好ましい。本発明でいう半透明とは完全な透明ではないが、下地を完全に隠蔽しない程度の透過性を有する状態を指す。
【０１０１】
また、集合潜像画線群（５）は、正反射光下において集合潜像画線群（５）の下に存在する蒲鉾状画線群（４）に光が入射するのを防ぎ、結果として印刷画像（３）内に反射光の強弱を作り出して原画像（７）を出現させる働きを成すために、低光沢（マット）であったり、光遮断性に優れる特性を有したりすることが好ましい。なお、集合潜像画線群（５）には、蒲鉾状画線（６）のような明暗フリップフロップ性やカラーフリップフロップ性は必須ではないが、これらの性質を備えていても問題ない。
【０１０２】
集合潜像画線群（５）は、特に盛り上がりは必須ではなく平坦な構造でよいが、盛り上がりを有していても良い。すなわち、オフセット印刷や凸版印刷、フレキソ印刷、グラビア印刷、凹版印刷やスクリ−ン印刷等で形成してもよく、インクジェットプリンタやレーザープリンタ等で形成しても問題ない。
【０１０３】
この集合潜像画線群（５）を蒲鉾状画線群（４）の上に重ね合わせて潜像印刷物（１）が完成する。設計上最も適正な蒲鉾状画線群（４）と集合潜像画線群（５）の重ね合わせの位置関係とは、図９に示す関係であり、一つの蒲鉾状画線（６）の上に、Ａ辺側から順に第１の潜像画線（９−１）、第２の潜像画線（９−２）、第３の潜像画線（９−３）、第４の潜像画線（９−４）、第５の潜像画線（９−５）が順に少なくとも一部重なった状態である。本発明では、第１の潜像画線群（５−１）から第５の潜像画線群（５−５）を各々構成している潜像画線（９）が、一つの蒲鉾状画線（６）の上に、第１の潜像画線（９−１）から第５の潜像画線（９−５）と順に積層して配置された構成を「対応した積層配置」と定義する。
【０１０４】
図９に示す蒲鉾状画線群（４）と集合潜像画線群（５）を対応した積層配置とした重ね合わせの位置関係で、本発明の潜像印刷物（１）を形成した場合の効果を図１０に示す。なお、図１０（ａ）は、蒲鉾状画線群（４）と集合潜像画線群（５）の刷り合わせの位置関係が理想的な位置関係である場合を示す断面図であり、一つの蒲鉾状画線（６）上に、潜像画線（９）が積層されて成る。潜像印刷物（１）に光源（１１）から直接光が入射しない、いわゆる拡散反射光下で潜像印刷物（１）を観察した場合、いずれの原画像（７）も出現せず、単に印刷画像（３）が蒲鉾状画線群（４）の物体色で視認される（図示せず）。
【０１０５】
一方、正反射光下において図１０（ｂ）のようにＡ辺側が光源（１１）に向けて上がって傾いた状態で観察した場合、印刷画像（３）中に第１の原画像（７−１）が第一の潜像画像（１５−１）として出現する。なお、肉眼においては第１の原画像（７−１）が出現しているように視認されるが、実際には、集合潜像画線群（５）内における第１の潜像画線群（５−１）がサンプリングされて、可視化されている。しかしながら、第１の潜像画線群（５−１）の原画像は第１の原画像（７−１）であり、かつ、第１の原画像（７−１）を分断して成る構成であることから、肉眼においては、第１の原画像（７−１）が第一の潜像画像（１５−１）として出現しているように、視認される。この場合、第１の原画像（７−１）は、集合潜像画線群（５）の正反射光下における色彩で、その他の背景となる印刷画像（３）全体は、蒲鉾状画線群（４）の正反射光下の色彩となる。以下、正反射光の観察状態を説明する場合、実際に視認されている画像は、潜像画像（１５）が視認されているとして説明する。
【０１０６】
また、潜像印刷物（１）を図１０（ｂ）から図１０（ｃ）の角度へと徐々に変化させると、印刷画像（３）中から第一の潜像画像（１５−１）が消失して、第二の潜像画像（１５−２）が出現する。そして、より角度を大きく変化させると第二の潜像画像（１５−２）が消失して、第三の潜像画像（１５−３）が出現する。
【０１０７】
第１の原画像（７−１）と第２の原画像（７−２）とは、それぞれの原画像要素（１０）である「ＪＡＰＡＮ」の文字の印刷画像（３）中の位相が、Ａ辺側にある「ＪＡＰＡＮ」については、第２の方向（Ｓ２）に位相がわずかにずれた関係にあることから、第一の潜像画像（１５−１）から第二の潜像画像（１５−２）へと画像がチェンジすることによって、Ａ辺側に現れた「ＪＡＰＡＮ」は、第２の方向（Ｓ２）に移動して見える。
【０１０８】
肉眼においては、第１の原画像要素（１０−１）が出現しているように視認されるが、前述した原画像（７）と同様に、実際には、第１の潜像画線群（５−１）内の第１の潜像要素（１３−１）がサンプリングされて、可視化されている。しかしながら、第１の潜像要素（１３−１）の原画像は、第１の原画像要素（１０−１）であり、かつ、第１の原画像要素（１０−１）を分断して成る構成であることから、肉眼においては、第一の潜像画像（１５−１）が出現しているように視認される。以下、正反射光の観察状態を説明する場合、実際には原画像要素（１０）が視認されているが、潜像画像（１５）が視認されているとして説明する。
【０１０９】
なお、図６から図９において、説明を簡潔にするために、原画像（７）にある二列の「ＪＡＰＡＮ」の文字列のうち、図６に示すＡ辺側に配置された原画像要素（１０）である「ＪＡＰＡＮ」の文字列に限定して説明をしてきたが、図６に示すＡ’辺側に配置された原画像要素（１０）である「ＪＡＰＡＮ」については、Ａ辺側にある「ＪＡＰＡＮ」の文字列と同様に、第２の方向（Ｓ２）に位相がわずかにずれた関係にある場合、第一の潜像画像（１５−１）から第二の潜像画像（１５−２）へと画像がチェンジすることによって、Ａ辺側に現れた「ＪＡＰＡＮ」及びＡ’辺側にある「ＪＡＰＡＮ」は、いずれも第２の方向（Ｓ２）に移動して見える。
【０１１０】
また、他の構成として、Ａ辺側に配置された原画像要素（１０）である「ＪＡＰＡＮ」については、第２の方向（Ｓ２）に、Ａ’辺側に配置された原画像要素（１０）である「ＪＡＰＡＮ」については、Ａ辺側と正反対の方向である略１８０度異なる方向にわずかにずれた関係とすることも、可能である。Ａ辺側にある「ＪＡＰＡＮ」とＡ’辺側にある「ＪＡＰＡＮ」を、Ａ辺側と正反対の方向に位相がわずかにずれた関係とした場合、図１０（ｅ）に示すように、第一の潜像画像（１５−１）から第二の潜像画像（１５−２）へと画像がチェンジすることによって、Ａ辺側に現れた「ＪＡＰＡＮ」は第２の方向（Ｓ２）に、Ａ’辺側に現れた「ＪＡＰＡＮ」は、第２の方向（Ｓ２）と正反対の方向に移動して見える。
【０１１１】
Ａ’辺側の「ＪＡＰＡＮ」が第２の方向（Ｓ２）と正反対の方向に移動する構成については、Ａ辺側の「ＪＡＰＡＮ」の動きの方向である第２の方向（Ｓ２）と正反対の角度か、正反対に近い角度に動く構成を同じ印刷画像（３）中に設けることによって、それぞれの動きを相対的に大きく見せ、動画効果を強く印象付けるために有効な構成である。
【０１１２】
第二の潜像画像（１５−２）と第三の潜像画像（１５−３）の関係も同様であることから、同様にＡ辺側に現れた「ＪＡＰＡＮ」は第２の方向（Ｓ２）に、Ａ’辺側に現れた「ＪＡＰＡＮ」は、第２の方向（Ｓ２）と正反対の方向に移動して見える。本発明の潜像印刷物（１）において画像のチェンジ効果は数度の角度の変化によって生じるから、潜像印刷物（１）を正反射光下でわずかに傾けるだけで出現した「ＪＡＰＡＮ」の文字、は極めてスムーズに第２の方向（Ｓ２）、あるいは第２の方向（Ｓ２）と正反対の方向に動いて見える。
【０１１３】
続いて、潜像印刷物（１）を図１０（ｃ）から図１０（ｄ）の角度へ変化させると、印刷画像（３）中の第三の潜像画像（１５−３）が消失して、第四の潜像画像（１５−４）が出現する。そして、より角度を大きく変化させると第四の潜像画像（１５−４）が消失して、第五の潜像画像（１５−５）が出現する。
【０１１４】
第三の潜像画像（１５−３）と第四の潜像画像（１５−４）の関係、及び第四の潜像画像（１５−４）と第五の潜像画像（１５−５）の関係も、第一の潜像画像（１５−１）から第二の潜像画像（１５−２）の関係と同じく、それぞれの原画像要素（１０）である「ＪＡＰＡＮ」の文字の印刷画像（３）中の位相がＡ辺側にある「ＪＡＰＡＮ」では、第２の方向（Ｓ２）に、Ａ’辺側にある「ＪＡＰＡＮ」では、第２の方向（Ｓ２）と正反対の方向に位相がわずかにずれた関係にあることから、Ａ辺側に現れた「ＪＡＰＡＮ」は第２の方向（Ｓ２）に、Ａ’辺側に現れた「ＪＡＰＡＮ」は、第２の方向（Ｓ２）と正反対の方向に移動して見える。出現した「ＪＡＰＡＮ」の文字は極めてスムーズに第２の方向（Ｓ２）、あるいは第２の方向（Ｓ２）と正反対の方向に動いて見える。なお、理想的な光源の状態で観察した場合には、第五の潜像画像（１５−５）が出現した後に角度を同じ方向に傾けると、再び第一の潜像画像（１５−１）が出現し、二サイクル目の動画が再生される。
【０１１５】
以上のように、図９の適正な位置関係で構成された本発明の潜像印刷物（１）を正反射光下で傾けて観察した場合、Ａ辺側に現れた有意味情報である「ＪＡＰＡＮ」は、第２の方向（Ｓ２）に、Ａ’辺側に現れた有意味情報である「ＪＡＰＡＮ」は、第２の方向（Ｓ２）と正反対の方向に、潜像画像（１５）がスムーズに移動するパラパラ漫画方式の動画効果が生じる。
【０１１６】
なお、本発明で言う「正反射」とは、物質にある入射角度で光が入射した場合に、入射した光の角度と略等しい角度に強い反射光が生じる現象を指し、「拡散反射」とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色を発する。また、「正反射光下で観察する」とは、印刷物に入射した光の角度と略等しい反射角度に視点をおいて観察する状態を指し、「拡散反射光下で観察する」とは、印刷物に入射した光の角度と大きく異なる角度で観察する状態を指す。
【０１１７】
以上の効果が生じる原理について説明する。まず、拡散反射光下では蒲鉾状画線群（４）及び集合潜像画線群（５）に直接入射する光が存在せず、強い正反射光を発することがないことから、蒲鉾状画線群（４）と集合潜像画線群（５）間に色差が生じることがない。そのため拡散反射光下では、集合潜像画線群（５）は、完全に不可視か、ほぼ不可視である。
【０１１８】
一方、正反射光下においては、蒲鉾状画線群（４）の有する光学特性である明暗フリップフロップ性あるいはカラーフリップフロップ性によって色彩が大きく変化するために、蒲鉾状画線群（４）と集合潜像画線群（５）との間に大きな色差が生じ、集合潜像画線群（５）が可視化される。ただし、蒲鉾状画線（６）は盛り上がりを有しているため、蒲鉾状画線群（４）全体が一斉に光を反射することはなく、集合潜像画線群（５）全体が一度に可視化されることはない。正反射光下においては、蒲鉾状画線（６）の画線表面のうち、入射した光と直交する画線表面だけが強く光を反射し、その領域だけ蒲鉾状画線群（４）と集合潜像画線群（５）間に大きな色差が生じる。結果として入射した光と直交した蒲鉾状画線群（４）の画線表面の上に重ねられた集合潜像画線群（５）の画像情報のみがサンプリングされ、可視化されることとなる。
【０１１９】
以上のことから、正反射光下において図１０（ｂ）のように潜像印刷物（１）のＡ辺側が光源（１１）に近づいて傾いた状態の潜像印刷物（１）を観察した場合、蒲鉾状画線（６）の画線表面のうちの、入射光と直交する角度を成すＡ辺側の画線表面が強く光を正反射し、その上に存在する集合潜像画線群（５）の画像情報のみがサンプリングされて可視化される。この例において、蒲鉾状画線（６）の上のＡ辺側の画線表面に重なっているのは第１の潜像画線（９−１）であるため、印刷画像（３）全体で第１の潜像画線群（５−１）がサンプリングされて第一の潜像画像（１５−１）が出現する。これが、正反射光下の図１０（ａ）の観察角度で第一の潜像画像（１５−１）が出現した原理である。
【０１２０】
次に、正反射光下において図１０（ｂ）の状態から図１０（ｃ）の状態まで潜像印刷物（１）を徐々に傾けた場合、光源（１１）から入射する光と潜像印刷物（１）との角度の関係が変化することから集合潜像画線群（５）の情報がＡ辺側から蒲鉾状画線（６）の頂点へ向かってサンプリングされる。第１の潜像画線（９−１）のＡ辺側にある画線とは、第１の潜像画線（９−１）であり、その隣に第２の潜像画線（９−２）、集合潜像画線（８）の中心近くには、第３の潜像画線（９−３）が存在する。このため、正反射光下で潜像印刷物（１）の傾きを図１０（ｂ）の状態から図１０（ｃ）の状態まで変化させた場合、集合潜像画線（８）の情報がＡ辺側から頂点側（画線中心）へ向かってサンプリングされることで、第一の潜像画像（１５−１）から第二の潜像画像（１５−２）にチェンジし、その後、第二の潜像画像（１５−２）から第三の潜像画像（１５−３）へとチェンジする。
【０１２１】
次に、正反射光下において図１０（ｃ）の状態から図１０（ｄ）の状態まで潜像印刷物（１）を徐々に傾けた場合、集合潜像画線群（５）の情報が蒲鉾状画線（６）の頂点からＡ’辺側へ向かってサンプリングされる。集合潜像画線群（５）の頂点（中心）近辺にある画線とは、第３の潜像画線（９−３）であり、Ａ辺側へかけて第４の潜像画線（９−４）、第５の潜像画線（９−５）が存在する。このため、正反射光下で潜像印刷物（１）の傾きを図１０（ｃ）の状態から図１０（ｄ）の状態まで変化させた場合、集合潜像画線群（５）の情報が頂点（中心）からＡ’辺側へ向かってサンプリングされることで、第三の潜像画像（１５−３）から、第四の潜像画像（１５−４）にチェンジし、その後、第四の潜像画像（１５−４）から第五の潜像画像（１５−５）へと画像がチェンジする。
【０１２２】
それぞれの原画像（７）は、対応した関係で配置された原画像要素（１０）同士が略相似形状な関係に構成されて成ることから、結果としてわずかな角度変化で、第一の潜像画像（１５−１）、第二の潜像画像（１５−２）、第三の潜像画像（１５−３）、第四の潜像画像（１５−４）、第五の潜像画像（１５−５）と順次チェンジすることで、それぞれの原画像要素（１０）の略相似形状な関係に応じた動画効果を生じる。
【０１２３】
第１の実施の形態においては、それぞれの原画像（７）において、それぞれの対応した関係で配置された原画像要素（１０）同士が、螺旋状に循環して配置され、第２の方向（Ｓ２）、あるいは第２の方向（Ｓ２）と正反対の方向に位相を変えた状態の略相似形状であることから、Ａ辺側に現れた「ＪＡＰＡＮ」は、第２の方向（Ｓ２）に、Ａ’辺側に現れた「ＪＡＰＡＮ」は、第２の方向（Ｓ２）と正反対の方向に、潜像画像（１５）がスムーズに移動する動画効果が生じるものである。
【０１２４】
以上が、正反射光下のある特定の観察角度において、印刷画像（３）の中に潜像画像（１５）が出現し、観察角度を変えることで印刷画像（３）の中の潜像要素（１３）に動画効果が生じる原理である。
【０１２５】
続いて、蒲鉾状画線群（４）と集合潜像画線群（５）の刷り合わせの位置関係が図９に示した理想的な位置関係からズレた場合の効果について説明する。図１１に示すのは、図９及び図１０に示した蒲鉾状画線群（４）と集合潜像画線群（５）の刷り合わせの位置関係からズレが生じ、図１１（ａ）に示すように、蒲鉾状画線（６）と蒲鉾状画線（６）の間にある非画線部に第５の潜像画線（９−５）が完全に嵌った例である。この例において第５の潜像画線（９−５）は、いずれの蒲鉾状画線（６）の上にも重なっていない。
【０１２６】
図１１の蒲鉾状画線群（４）と集合潜像画線群（５）の刷り合わせの位置関係では、図１１（ｂ）のようにＡ辺側が光源（１０）に向けて上がって傾いた状態で観察した場合、印刷画像（３）中に第一の潜像画像（１５−１）が出現する。また、潜像印刷物（１）を図１１（ｂ）から図１１（ｄ）の角度へと徐々に変化させると、印刷画像（３）中から第一の潜像画像（１５−１）が消失して、第二の潜像画像（１５−２）にチェンジし、傾きを大きくすることによって第三の潜像画像（１５−３）、第四の潜像画像（１５−４）が次々とチェンジする。
【０１２７】
その結果、観察者は、図１０に示した例と同様に、Ａ辺側に現れた「ＪＡＰＡＮ」は、第２の方向（Ｓ２）に、Ａ’辺側に現れた「ＪＡＰＡＮ」は、第２の方向（Ｓ２）と正反対の方向である略１８０度異なる方向に、潜像画像（１５）がスムーズに移動する動画効果を認識できる。この図１１の形態においては、第五の潜像画像（１５−５）は出現しないが、前述のとおり、本発明においては、原画像（７）が複数の原画像要素（１０）の集合から成り、対応した関係で配置された原画像要素（１０）が最も近似した略相似形状である画線構成で原画像（７）が構成されたことで、すべての原画像（７）は、目視上いずれも似通った画像となり、原画像（７）間の違いをほとんど認識できず、それぞれ区別がつかない。よって、図１０に示した刷り合わせが適正な状態の潜像印刷物（１）との間に認識できる程度に動画効果の明確な差異は生じないため、観察者は、図１０に示した潜像印刷物（１）と、図１１に示した潜像印刷物（１）とで視認された動画効果の違いに気が付くことはない。
【０１２８】
続いて、蒲鉾状画線群（４）と集合潜像画線群（５）の刷り合わせの位置関係が、図１１よりも、さらに大きくズレた場合の効果について図１２を用いて説明する。図１２の例は、図１０に示した蒲鉾状画線群（４）と集合潜像画線群（５）の刷り合わせの位置関係が適正な位置から約半ピッチ（Ｐ１／２）の距離ずれた構成であり、これは蒲鉾状画線（６）と集合潜像画線（８）の位置関係としては、図１２の状態が適正な状態から最も大きく離れた位置関係となる。また、この例においては、図１２（ａ）に示すように、蒲鉾状画線（６）と蒲鉾状画線（６）の間にある非画線部に第３の潜像画線（９−３）が完全に嵌った例である。この例において第３の潜像画線（９−３）は、いずれの蒲鉾状画線（６）の上にも重なっていない。
【０１２９】
図１２の蒲鉾状画線群（４）と集合潜像画線群（５）の刷り合わせの位置関係では、図１２（ｂ）のようにＡ辺側が光源（１０）に向けて上がって傾いた状態で潜像印刷物（１）を観察した場合、印刷画像（３）中に第四の潜像画像（１５−４）が出現する。また、潜像印刷物（１）を図１２（ｂ）から図１２（ｄ）の角度へと徐々に変化させると、印刷画像（３）中から第四の潜像画像（１５−４）が消失して、第五の潜像画像（１５−５）にチェンジし、傾きを大きくすることによって第一の潜像画像（１５−１）、第二の潜像画像（１５−２）が次々とチェンジする。
【０１３０】
その結果、観察者は、図１０に示した例及び図１１に示した例と同じようにＡ辺側に現れた「ＪＡＰＡＮ」が第２の方向（Ｓ２）に、Ａ’辺側に現れた「ＪＡＰＡＮ」が第２の方向（Ｓ２）と正反対の方向に、潜像画像（１５）がスムーズに移動する動画効果を認識できる。この図１２の形態においては、第三の潜像画像（１５−３）は出現しないが、図１１と同様に、図１０や図１１に示した潜像印刷物（１）との間に認識できる程度に明確な差異は生じないため、観察者は、図１０や図１１に示した潜像印刷物（１）と、図１２に示した潜像印刷物（１）との違いに気が付くことはない。
【０１３１】
以上のように、本発明の潜像印刷物（１）においては、蒲鉾状画線群（４）と集合潜像画線群（５）の刷り合わせの位置関係に関係なく、出現した原画像要素（１０）が略相似形状に変化する（第１の実施の形態においては第２の方向（Ｓ２）及び第２の方向（Ｓ２）と正反対の方向である略１８０度異なる方向に移動する）動画効果を認識できる。そして、仮に一部の潜像画像（１５）が出現しなかったとしてもその動画効果の違いを認識することができない。よって、蒲鉾状画線群（４）と集合潜像画線群（５）の刷り合わせの位置関係に関係なく、目視上同じ動画効果が認識される効果が生じる。これは従来の循環型の動画効果にはなかった、モアレ拡大現象を利用した動画効果の利点である。
【０１３２】
第１の実施の形態における動画効果は、潜像画像（１５）が第２の方向（Ｓ２）（あるいは第２の方向（Ｓ２）と正反対の方向）に移動する効果であったが、本発明の潜像印刷物（１）における動画効果はこれに限定されるものではない。潜像画像（１５）が回転したり、回転しながら移動したり、大きさが変化したり、形状が変化する等、対応した関係で配置された原画像要素（１０）同士が略相似形状の関係を維持しながら変化できる範囲の変化であれば、いかなる動画表現であっても実現できる。これは従来のモアレ拡大現象を利用した動画効果にはなかった、パラパラ漫画方式の動画効果の利点である。これらの動画表現のバリエーションの具体例は、第２の実施の形態から第６の実施の形態の中で説明する。
【０１３３】
ここで原画像要素（１０）が移動する、あるいは回転する場合の移動方向となる第２の方向（Ｓ２）について説明する。第１の実施の形態においては、第２の方向（Ｓ２）は、第１の方向（Ｓ１）に直交する方向であったが、図１３（ａ）に示すように、第１の方向（Ｓ１）に水平方向であっても、図１３（ｂ）に示すように、第１の方向（Ｓ１）に斜め方向であっても良く、その方向については特に問わない。また、第２の方向（Ｓ２）が直線方向である必要はなく、図１３（ｃ）に示すように、時計回りの回転方向を第３の方向（Ｓ３）と定め、回転する形態としても良い。また、図１３（ｄ）に示すようにそれぞれの原画像要素（１０）ごとに第２の方向（Ｓ２）が異なる形態としてもよい。また移動する距離についても、それぞれの原画像要素（１０）において同じ長さである必要はなく、図１３（ｄ）に示すように、それぞれの原画像要素（１０）ごとに第２の方向（Ｓ２）に移動する距離が異なっていても良い。
【０１３４】
また、図１４に第１−１の原画像要素（１０−１（１））の出現位置と第１−ｉの原画像要素（１０−１（ｉ））の消失位置における画像処理の一例を示す。原画像要素（１０）が移動する形態においては、印刷画像（３）中に自ら出現する位置と消失する位置が生まれる。これらの見せ方によっては動画効果が小さく感じられたり、同じ動画効果が生じなくなったりする場合もあるため、いくつかの出現位置と消失位置における画像処理の例を示す。
【０１３５】
図１４（ａ）に示すのは、潜像画像（１５）が出現及び消失の基本的な形態であり、第１−１の原画像要素（１０−１（１））の出現と第１−ｉの原画像要素（１０−１（ｉ））の消失の処理で、印刷画像（３）の枠内から見切れる位置まで描画する形態である。当然のことながら、印刷画像（３）の枠自体は移動しないことから、動かない枠と第２の方向（Ｓ２）に移動する原画像要素（１０）の対比によって動画効果が強調されるため、原画像要素（１０）が移動する形態の出現及び消失の見せ方として好ましい。
【０１３６】
図１４（ｂ）に示すのは、印刷画像（３）中の特定の位置で第１−１の原画像要素（１０−１（１））が出現したり、第１−ｉの原画像要素（１０−１（ｉ））が消失したりする例である。特に正確な位置において原画像要素（１０）を出現させたり、消失させたりを意図する場合には、出現した瞬間の第１−１の原画像要素（１０−１（１））に対応した関係で配置された第２−１の原画像要素（１０−２（１））や、消失する瞬間の第１−ｉの原画像要素（１０−１（ｉ））と対応した関係で配置された第２−ｉの原画像要素（１０−２（ｉ））もほぼ同じ位置に原画像要素（１０）がある状態とすることで、仮にそれぞれの原画像（７）が出現しなかった場合でも同じ位置で潜像画像（１５）が出現及び消失する効果を担保できる。
【０１３７】
図１４（ｃ）に示すのは、第１−１の原画像要素（１０−１（１））が徐々に濃くなりながら出現したり、第１−ｉの原画像要素（１０−１（ｉ））が淡く成りながら消失したりする形態である。これに関しても、図１４（ｂ）と同様に、出現した瞬間の第１−１の原画像要素（１０−１（１））に対応した関係で配置された第２−１の原画像要素（１０−２（１））や、消失する瞬間の第１−ｉの原画像要素（１０−１（ｉ））と対応した関係で配置された第２−ｉの原画像要素（１０−２（ｉ））もほぼ同じ位置に原画像要素（１０）がある状態とすることが好ましい。以上のように、これらはそれぞれを組み合わせて構成しても良い。
【０１３８】
（第２の実施の形態）
次に、第２の実施の形態において、潜像画像（１５）が第２の方向（Ｓ２）に移動し、かつ、回転する動画効果を構成した例について説明する。
【０１３９】
図１５に第２の実施の形態における潜像印刷物（１’）を示す。図１６には潜像印刷物（１’）の印刷画像（３’）の構成の概要を示す。印刷画像（３’）は、蒲鉾状画線群（４’）の上に集合潜像画線群（５’）が重ねて形成されて成る。基材（２’）や印刷画像（３’）、蒲鉾状画線群（４’）の構成や材料構成、条件等については、第１の実施の形態と同様であることから説明を省略する。また、集合潜像画線群（５’）の画線構成についても第１の実施の形態と同様であることから説明を省略する。以下では、集合潜像画線群（５’）の基と成る原画像（７’）の構成について説明する。
【０１４０】
図１７（ａ）に、集合潜像画線群（５’）を構成する５種類の潜像画線群（５−１’、５−２’、５−３’、５−４’、５−５’）及び、それぞれの基になる５種類の原画像（７−１’、７−２’、７−３’、７−４’、７−５’）を示す。
【０１４１】
第２の実施の形態においても、図１８に示すように原画像（７’）全体が画像の繋がりを有してループする循環構成を有する。すなわち、第１の原画像（７−１’）→第２の原画像（７−２’）→第３の原画像（７−３’）→第４の原画像（７−４’）→第５の原画像（７−５’）を一サイクルとし、第５の原画像（７−５’）から再び第１の原画像（７−１’）へと繋がる循環構成を有する。
【０１４２】
第２の実施の形態では、原画像（７’）は、全て桜の花びらの集合を表し、それぞれの原画像（７’）の中の桜の花びらが位置を変えながら回転する様子を表わしている。原画像（７’）を構成する原画像要素（１０’）は、全て桜の花びらであり、一つの原画像（７’）の中の桜の花びらは同じであるが、それぞれ隣り合った原画像（７’）において、図１９（ｂ）に示すように、対応した関係で配置された原画像要素（１０’）は、第２の方向（Ｓ２）に位相がずれ、図１９（ｃ）に示すように、同時に配置角度も異なる形態の略相似形状である。
【０１４３】
図１９（ａ）に示すのは、第１の原画像（７−１’）における原画像要素（１０’）の配置であり、第１−１の原画像要素（１０−１（１）’）と隣接した第１−２の原画像要素（１０−１（２）’）は、第２の方向（Ｓ２）に位相がずれた略相似形状である。
【０１４４】
また、第１の原画像（７−１’）において、垂直軸（Ｌ１）から約−１４度傾いた第１−１の原画像要素（１０−１（１）’）と、第２の原画像（７−２’）において垂直軸（Ｌ１）と平行であって第２の方向（Ｓ２）に位相が異なる第２−１の原画像要素（１０−２（１）’）が対応した関係で配置され、この第２−１の原画像要素（１０−２（１）’）と、第３の原画像（７−３’）において垂直軸（Ｌ１）から約１４度傾いて第２の方向（Ｓ２）に位相が異なる第３−１の原画像要素（１０−３（１）’）が対応した関係で配置され、この第３−１の原画像要素（１０−３（１）’）と、第４の原画像（７−４’）において垂直軸（Ｌ１）から約２８度傾いて第２の方向（Ｓ２）に位相が異なる第４−１の原画像要素（１０−４（１）’）が対応した関係で配置され、この第４−１の原画像要素（１０−４（１）’）と第５の原画像（７−５’）において垂直軸（Ｌ１）から約４２度傾いて第２の方向（Ｓ２）に位相が異なる第５−１の原画像要素（１０−５（１）’）が対応した関係で配置される。
【０１４５】
そして、第５の原画像（７−５’）の第５−１の原画像要素（１０−５（１）’）と、第１の原画像（７−１’）の垂直軸（Ｌ１）から約５６度傾いて第２の方向（Ｓ２）に位相が異なる第１−２の原画像要素（１０−１（２）’）が対応する関係にある。つまり、本第２の実施の形態においても、第１の原画像要素（１０−１’）から第ｎの原画像要素（１０−ｎ’）において、対応した関係で配置された原画像要素（１０’）は、螺旋状に循環して配置される。これ以後、隣り合う原画像（７’’）において、対応した関係で配置された原画像要素（１０’）同士は、約１４度ずつ配置角度が異なり、同時に第２の方向（Ｓ２）に位相が異なる最も近似した略相似形状の関係にある。
【０１４６】
以上のような構成の原画像（７’）を、所定の画線幅で分断し、潜像画線（９’）から成る潜像画線群（５−１’、５−２’、５−３’、５−４’、５−５’）とすることで、集合潜像画線群（５’）を構成する。
【０１４７】
また、原画像（７’）は、複数の原画像要素（１０’）から構成されていることから、原画像（７’）を分断して成る潜像画線群（５−１’、５−２’、５−３’、５−４’、５−５’）においては、図１７（ｂ）に示すように、複数の原画像要素（１０’）を分断して成る複数の潜像要素（１３’）を有する。また、原画像（７’）において、隣り合う原画像要素（１０’）同士が互いに略相似形状であることから、分断することで構成される潜像要素（１３’）においても、隣り合う潜像要素（１３’）同士が互いに略相似形状となる。さらに、第１の潜像要素（１３−１’）から第ｎの潜像要素（１３−ｎ’）において、対応した関係で配置された潜像要素（１３’）は、螺旋状に循環して配置される。この集合潜像画線群（５’）の構成や、材料構成、形成方法等は、第１の実施の形態と同様であることから省略する。
【０１４８】
図２０（ａ）に示す、蒲鉾状画線群（４’）と集合潜像画線群（５’）の重ね合わせの位置関係で本発明の潜像印刷物（１’）を形成した場合の効果を、図２０（ｅ）に示す。潜像印刷物（１’）に光源（１１’）から直接光が入射しない、いわゆる拡散反射光下で潜像印刷物（１’）を観察した場合、いずれの原画像（７’）も出現せず、単に印刷画像（３’）が蒲鉾状画線群（４’）の物体色で視認される（図示せず）。
【０１４９】
一方、正反射光下において図２０（ｂ）のようにＡ辺側が光源（１１’）に向かって上がって傾いた状態で潜像印刷物（１’）を観察した場合、印刷画像（３’）中に第一の潜像画像（１５−１’）が出現する。この場合、第一の潜像画像（１５−１’）は、集合潜像画線群（５’）の正反射光下における色彩で、その他の背景の印刷画像（３）全体は、蒲鉾状画線群（４’）の正反射光下の色彩となる。
【０１５０】
また、潜像印刷物（１’）を図２０（ｂ）から図２０（ｃ）を経て図２０（ｄ）の角度へと徐々に変化させると、印刷画像（３’）中で第一の潜像画像（１５−１’）、第二の潜像画像（１５−２’）、第三の潜像画像（１５−３’）、第四の潜像画像（１５−４’）、第五の潜像画像（１５−５’）が順次単独で出現する。これによって、それぞれの原画像（７’）の中の原画像要素（１０’）の桜の花びらが回転しながら第２の方向（Ｓ２）に移動する効果が発現する。また、第１の実施の形態と同様に、それぞれの原画像（７’）は、略相似形状であることから、いずれかの原画像（７’）が出現されなかった場合でも、観察者がその変化を認識できることはない。以上のように、本発明の構成を用いることで、潜像画像（１５）が回転しながら同時に移動する動画効果を実現することができる。
【０１５１】
（第３の実施の形態）
第３の実施の形態では原画像要素（１０’’）が回転する動画効果を実現する例について説明する。また、第３の実施の形態で説明するのは、原画像要素（１０’’）が単独で存在するのではなく、原画像要素（１０’’）が組み合わされることで画像全体として複雑な意匠を構成した例である。なお、原画像要素（１０’’）が組み合わされることで形成された複雑な意匠性のある潜像画像（１５’’）は、集合潜像画線群（５’’）を、拡散反射光下において基材と異なる有色の色彩を有するように形成することで、拡散反射光下において意匠性の高い彩紋状模様（１６）として視認できる。したがって、以降、第３の実施の形態の説明において集合潜像画線群（５’’）は、拡散反射光下において透明以外の有色の色彩で形成されていることとして説明する。また、既に第１の実施の形態及び第２の実施の形態で説明した内容と同じところは省略する。
【０１５２】
第３の実施の形態では、正反射光下で出現する潜像が一定の方向に回転する形態について説明する。図２１に、本発明における潜像印刷物（１’’）を示す。図２１（ａ）に示すのは潜像印刷物（１’’）の正面図であり、図２１（ｂ）に示すのは、潜像印刷物（１’’）のＡ−Ａ’ラインにおける断面図である。
【０１５３】
第３の実施の形態における印刷画像（３’’）の構成の概要を図２２に示す。前述した実施の形態と同様、印刷画像（３’’）は、蒲鉾状画線群（４’’）及び集合潜像要素群（５’’）から成る。積層順としては、蒲鉾状画線群（４’’）の上に集合潜像要素群（５’’）が重なって成る。
【０１５４】
蒲鉾状画線群（４’’）については、前述の第１の実施の形態で説明した内容と同様なので、説明を省略する。
【０１５５】
次に、集合潜像画線群（５’’）について説明する。この集合潜像画線群（５’’）の構成が本第３の実施の形態においての最も大きな特徴である。説明を明瞭にするために、まず循環型の動画効果を発現させるための潜像画線群における画線構成と、その元となる原画像の構成について説明し、その後に潜像画線群に一定の意匠性を付与するための構成について説明する。
【０１５６】
図２３に示すのは、集合潜像画線群（５’’）であり、一定の画線幅（Ｗ２）の集合潜像画線（８’’）が、蒲鉾状画線（６’’）の配置ピッチと同じピッチ（Ｐ１）で、第１の方向（Ｓ１）に連続して配置されて成る。それぞれの原画像（７’’）の構成が決まったら、それぞれの原画像（７’’）を特定のピッチ（Ｐ１）で任意の画線幅（Ｗ）で分断し、それぞれの原画像（７’’）を基にして潜像画線群（５’’）を作製し、それぞれの潜像画線群を第１の方向（Ｓ１）に位相をずらして互いの画線が重なり合わないように配置することで、集合潜像画線群（５’’）が完成するのは、第１の実施の形態と同様である。
【０１５７】
図２４に、集合潜像画線群（５’’）を構成する５種類の潜像画線群（５−１’’、５−２’’、５−３’’、５−４’’、５−５’’）を示す。図２４に示す全ての潜像画線群（５−１’’、５−２’’、５−３’’、５−４’’、５−５’’）は、雪の結晶のような幾何学模様を表した画像（雪の結晶模様と呼ぶ）を分断した分断画線から成る。
【０１５８】
また、図２４に、５種類の潜像画線群（５−１’’、５−２’’、５−３’’、５−４’’、５−５’’）を表す画像の基となる５種類の原画像（７−１’’、７−２’’、７−３’’、７−４’’、７−５’’）を示す。全ての原画像（７−１’’、７−２’’、７−３’’、７−４’’、７−５’’）及びその原画像（７’’）から形成された潜像画線群（５’’）は、原画像（７’’）及び潜像画線群（５’’）の中心点（Ｏ）に対して回転方向に順次配列されている。なお、本第３の実施形態では、図２４に示すように、回転方向は第３の方向（Ｓ３）として、反時計回りとなっている。したがって、第３の方向（Ｓ３）に角度（α）の異なる雪の結晶模様を表した構成を有する。
【０１５９】
図２５に５種類の潜像画線群（５−１’’、５−２’’、５−３’’、５−４’’、５−５’’）を代表して、第１の潜像画線群（５−１’’）の画線構成を示す。第１の潜像画線群（５−１’’）は、特定の画線幅（Ｗ３）の第１の潜像画線（９−１’’）が蒲鉾状画線（６’’）の配置ピッチと同じピッチ（Ｐ１）で、第１の方向（Ｓ１）に連続して配置されて雪の結晶模様を表して成る。このように、第１の潜像画線群、第２の潜像画線群、・・・、第５の潜像画線群（５−１’’、５−２’’、５−３’’、５−４’’、５−５’’）とは、基になる５種類の原画像となる第１の原画像、第２の原画像、・・・、第５の原画像（７−１’’、７−２’’、７−３’’、７−４’’、７−５’’）を特定の幅（Ｗ３、Ｗ４、Ｗ５、Ｗ６、Ｗ７）の第１の潜像画線から第５の潜像画線（９−１’’、９−２’’、９−３’’、９−４’’、９−５’’）によって、特定のピッチ（Ｐ１）で分断した構造を有する。
【０１６０】
図２４では、５種類の潜像画線群（５−１’’、５−２’’、５−３’’、５−４’’、５−５’’）、更には、５種類の原画像（７−１’’、７−２’’、７−３’’、７−４’’、７−５’’）についての例として説明したが、前述した潜像画線（９’’）と同様、これに限定されるものではなく、第ｎ’’の潜像画線群及び第ｎ’’の原画像まで設定することは可能である。
【０１６１】
前述したとおり、本発明は、蒲鉾状画線群（４’’）と潜像画線群（５’’）の刷り合わせがずれた場合でも、刷り合わせに依存せず、正反射光下でスムーズなパラパラ漫画方式の動画効果を生じさせるための、原画像（７’’）の構成上に工夫している。
【０１６２】
本第３の実施の形態では、従来の循環型の動画効果を有した技術と同様に、原画像（７’’）全体がループする循環構成を有する。すなわち、第１の原画像（７−１’’）→第２の原画像（７−２’’）→第３の原画像（７−３’’）→、・・・、→第ｎの原画像（７−ｎ’’）（ｎは３以上の整数）を一サイクルとした画像の繋がりを有し、かつ、終点となる原画像（７−ｎ’’）が、始点となる原画像（７−１’’）と連続した画像として繋がる、所謂循環した構成を有する。
【０１６３】
図２６の例では、第１の原画像（７−１’’）→第２の原画像（７−２’’）→第３の原画像（７−３’’）→第４の原画像（７−４’’）→第５の原画像（７−５’’）を一サイクルとし、第５の原画像（７−５’’）から再び第１の原画像（７−１’’）へと繋がる循環構成を有する。したがって、隣り合う原画像（７’’）同士は、「隣り合う関係」となっている。
【０１６４】
第３の実施の形態におけるそれぞれの原画像要素（１０’’）とは、雪の結晶模様全体を指すのではなく、図２７に示すように、雪の結晶模様の８分の１を構成する矢印が重なったような模様を指す。図２７（ａ）に示すのは、第１の原画像（７−１’’）であり、画像の上部で垂直な角度で第１−１の原画像要素（１０−１（１）’’）があり、第１−１の原画像要素（１０−１（１）’’）の中心点（Ｏ）に対して反時計回りである第３の方向（Ｓ３）に角度（α）が９度傾いた第１−２の原画像要素（１０−１（２）’’）があり、同じく第１−２の原画像要素（１０−１（２）’’）に対して、第３の方向（Ｓ３）に角度が９度傾いた第１−３の原画像要素（１０−１（３）’’）があり、・・・、第１−ｎの原画像要素（１０−１（ｉ）’’）がある。
【０１６５】
第１−２の原画像要素（１０−１（２）’’）は第１−１の原画像要素（１０−１（１）’’）及び第１−３の原画像要素（１０−１（３）’’）と「隣接した関係」にある。第３の実施の形態においては、それぞれの原画像要素（１０’’）同士が特定の方向に位相をずらして配置されてなるが、配置角度（α）が異なっていたり、形状及び大きさのいずれか一つが異なっていたりしても良い。第３の実施の形態においては、それぞれ隣接した関係の原画像要素同士（１０’’）は、配置角度（α）が９度異なる。
【０１６６】
図２７（ｂ）において、第１の原画像（７−１’’）における第１−１の原画像要素（１０−１（１）’’）は、第２の原画像（７−２’’）の第２−１の原画像要素（１０−２（１）’’）と対応した関係で配置され、第２の原画像（７−２’’）の第２−１の原画像要素（１０−２（１）’’）は、第３の原画像（７−３’’）の第３−１の原画像要素（１０−３（１）’’）と対応した関係で配置され、第３の原画像（７−３’’）の第３−１の原画像要素（１０−３（１）’’）は、第４の原画像（７−４’’）の第４−１の原画像要素（１０−４（１）’’）と対応した関係で配置され、第４の原画像（７−４’’）の第１の原画像要素（１０−４（１）’’）は、第５の原画像（７−５’’）の第５−１の原画像要素（１０−５（１）’’）と対応した関係で配置された構成を有する。そして、第５の原画像（７−５’’）の第１の原画像要素（１０−５（１）’’）は、第１の原画像（７−１’’）の第１−２の原画像要素（１０−１（２）’’）に対応した関係である。
【０１６７】
それぞれの原画像（７’’）における原画像要素（１０’’）の関係を閉じられた円環状の循環構成とするのではなく、変化し続ける螺旋状の循環構成を適用することによって、従来の循環型の動画効果のように対の動きを必要とせずに、全ての原画像要素（１０’’）が印刷画像（３’’）中で留まることなく一定の方向に変化し続ける動画効果を得ることができる。
【０１６８】
なお、集合潜像画線群（５’’）を作製するために原画像要素（１０’’）を要することとなるが、実際に潜像印刷物（１’’）として形成された集合潜像画線群（５’’）において、潜像画像（１５’’）として出現した際には、原画像要素（１０’’）では無く、潜像要素（１３’’）と定義する。したがって、第一の潜像画像（１５−１’’）は、第１−１の潜像要素（１３−１（１）’’）から第１−ｉの潜像要素（１３−１（ｉ）’’）によって構成されていることとなる。また、第二の潜像画像（１５−２’’）は、第２−１の潜像要素（１３−１（２）’’）から第２−ｉの潜像要素（１３−２（ｉ）’’）によって構成されていることとなる。同様に、第ｎの潜像画像（１５−ｎ’’）は、第ｎ−１の潜像要素（１３−ｎ（１）’’）から第ｎ−ｉの潜像要素（１３−ｎ（ｉ）’’）によって構成されていることとなる。
【０１６９】
続いて、本第３の実施の形態における集合潜像画線群（５’’）自体を意匠性に富んだユニークな模様とするための集合潜像画線群（５’’）の構成上の工夫について説明する。本第３の実施の形態においては、集合潜像画線群（５’’）を着色し、拡散反射光下では集合潜像画線群（５’’）自体を模様として認証する構成であることから、集合潜像画線群（５’’）自体を鑑賞に耐えうる意匠性を有する模様とする必要がある。集合潜像画線群（５’’）は、原画像群を構成した時点でその模様は自動的に決定されるため、実際には原画像（７’’）を構成する段階で一定の工夫を施しておく必要である。
【０１７０】
本第３の実施の形態において、集合潜像画線群（５’’）自体が一定の意匠性を有する模様を構成する必要があるが、意匠性の高低については審美性が関わるため、「一定の意匠性を有する」ことの基準を定義することは困難である。そこで、本発明においては、集合潜像画線群（５’’）が彩紋に準じる「彩紋状模様（１６）」を構成できた場合に、集合潜像画線群（５’’）が一定の意匠性を有する構成を成すと定義する。本発明における「彩紋状模様（１６）」とは、実際には彩紋のような連続した線では構成されず、分断された不連続な画線(潜像画線（９’’）)の集合で構成されている模様であるが、一見した印象として彩紋であると認識できる幾何学模様と定義する。
【０１７１】
ここで本来の彩紋自体について具体的に説明する。彩紋とは、銀行券や証券類等のセキュリティ印刷物に付与されてきた直線、波状線、弧線又は円形等を組み合わせた精密な幾何学模様である。多くの場合、手書きでは再現不可能な滑らかな線の集合で構成されるため、かつては彩紋彫刻機と呼ばれる専用の機械を用い、経験を積んだ専門の職人が操作しなければ模様を再現できなかったことから、セキュリティ印刷物の偽造防止策の一つとして用いられた。
【０１７２】
近年では、スキャナーやコピー機、デジタル描画ソフト等の普及によって既に偽造防止策としての機能は低下したが、緻密かつ重厚感のある意匠性の高い模様であるがゆえに、今なお、セキュリティ印刷物に不可欠なデザイン要素として付与され続けている。例として証券に付与される実用的な意匠を図２８に示す。いずれも意匠登録された彩紋模様（意匠登録１０９７６９７号、１１０００７７号）であり、精密かつ重厚感のある意匠性に優れた模様である。
【０１７３】
彩紋彫刻機を用いた場合の、古典的な彩紋模様においては円図形の軌跡に別の円図形を描くことを基本とし、さらにその軌跡にそった別の円図形の軌跡を模様として描くことでより複雑な模様を構成するものであった。現在の彩紋においてもその基本的な構成は変わらず、デジタル描画ソフトを用いて、三角関数による周波数変調を繰り返すことで複雑な模様を描画する。これらの技法を用いて作製される彩紋は多種多様であるが、このような方法で描画されるいずれの彩紋も高い意匠性を備えている。
【０１７４】
図２８に示したような全ての彩紋が、本発明の集合潜像画線群（５’’）の彩紋状模様（１６）として適用できるわけではない。本発明の集合潜像画線群（５’’）において彩紋状模様（１６）として用い得る彩紋は、図２８に示したほどの複雑さを有している必要はなく、より単純な模様であって、かつ以下に説明する規則性を有していることを特徴とする。図２９を例として説明する。図２９に示す４種類の彩紋は、いずれも多少の加工を施すことで、本発明の集合潜像画線群（５’’）の彩紋状模様（１６）として用い得る構成を満たしている。その構成とは、いずれも彩紋が同じ模様か、あるいは略相似な模様の規則性のある繰り返しによって成るということである。
【０１７５】
図２９(ａ)の彩紋（意匠登録１０９７４５７号）は、楕円状の微小模様の繰り返し模様から成り、楕円状の模様を原画像要素（１０’’）として同じ角度で回転させることによって構成できる。図２９（ｂ）の彩紋（意匠登録１０９７４２７号）は、波状線の微小模様が微妙に変化しながら繰り返された模様から成り、波状線を原画像要素（１０’’）として形状をわずかに変化させながら三つの楕円の軌跡に沿って回転させることによって構成できる。図２９（ｃ）、図２９（ｄ）の彩紋（意匠登録１０９７６８５号及び意匠登録１０９７６８９号）は、バツ状、又は十字状の微小模様が微妙に形状を変化させながら大きさを変えた模様から成り、バツ状、又は十字状の模様を原画像要素（１０’’）として形状を変化させながら大きさを変えることで構成できる。
【０１７６】
以上のように、彩紋のうち、特定の同じ微小模様の繰り返し、または略相似形状の微小模様の繰り返しから成る彩紋については、同じ又は相似形の微小模様を原画像要素（１０’’）とすることで、本発明の集合潜像要素群（５’’）の彩紋状模様（１６）に適用することができる。なお、第１の実施の形態の潜像印刷物（１’’）の集合潜像要素群（５’’）については登録された意匠ではないが、微細模様の繰り返しから成る彩紋の特徴を有した幾何学模様であり、彩紋状模様（１６）の要件を満たしていると言える。
【０１７７】
彩紋における微小模様（原画像要素（１０’’））の配置方向である第３の方向（Ｓ３）について説明する。彩紋の中には微小模様を直線的に配置する帯彩紋と呼ばれる形態の彩紋も存在するものの、彩紋としての美しさや潜像が出現した場合の動きの豊かさを重視すると、ゆるやかな波線や弧線、円や楕円等のように画線方向が変化する曲線として第３の方向（Ｓ３）を連続的に変化した模様であることが好ましい。
【０１７８】
なお、本発明の集合潜像要素群（５’’）の構成方法としては、第３の実施の形態のように集合潜像要素群（５’’）が彩紋に準じる画像になることを見越して、あらかじめ原画像要素（１０’’）の集合によって原画像（７’’）を構成しても良いし、集合潜像要素群（５’’）に適用する彩紋をあらかじめ選択して、選択した彩紋をもとにして原画像要素（１０’’）の集合としての原画像（７’’）を構成しても良い。上段の方法については、第３の実施の形態のように原画像要素（１０’’）を円や楕円に沿って回転させる形態や、後述する第５の実施の形態のように原画像要素（１０’’）の中心位置を揃えた状態で原画像要素（１０’’）の大きさを変えた拡大、縮小を伴った形態として集合潜像要素群（５’’）を構成すれば、多くの場合、集合潜像要素群（５’’）は、彩紋に準じる画像となる。下段のあらかじめ彩紋を選択した後に、その彩紋を基に各原画像（７’’）を構成する方法については、第４の実施の形態で説明する。
【０１７９】
続いて、この第３の実施の形態における集合潜像要素群（５’’）の色彩について具体的に説明する。前述したとおり、本第３の実施の形態における集合潜像要素群（５’’）は、拡散反射光下で観察者に集合潜像要素群（５’’）自体を模様として認識させるために、透明や半透明ではなく、目視可能な色彩を有している。色彩は、蒲鉾状画線群（４’’）の拡散反射光下の色彩とその色差ΔＥが大きいほど、拡散反射光下で視認できる模様の視認性が高まり、蒲鉾状画線群（４’’）の正反射光下の色彩とその色差ΔＥが大きいほど、正反射光下で出現する潜像の視認性も高まる。
【０１８０】
しかし、蒲鉾状画線群（４’’）の明暗フリップフロップ性やカラーフリップフロップ性が充分でない場合、すなわち、蒲鉾状画線群（４’’）の正反射時の色彩変化が小さく、反射光量も充分でない場合には、集合潜像要素群（５’’）と蒲鉾状画線群（４’’）との色差ΔＥが大き過ぎてしまい、正反射光下で出現する潜像が一つ一つの原画像単独で出現せず、複数の原画像が同時に混ざり合った状態で出現する場合がある。このため、蒲鉾状画線群（４’’）の明暗フリップフロップ性やカラーフリップフロップ性の強弱に応じて、集合潜像要素群（５’’）と蒲鉾状画線群（４’’）との色差ΔＥを調節する必要がある。すなわち、蒲鉾状画線群（４’’）の明暗フリップフロップ性やカラーフリップフロップ性に応じて、集合潜像要素群（５’’）の色彩を決定する必要がある。
【０１８１】
また、集合潜像要素群（５’’）は、少なくとも目視可能な色彩を有している必要があるが、それに加えて集合潜像要素群（５’’）は、正反射光下において集合潜像要素群（５’’）の下に存在する蒲鉾状画線群（４’’）に光が入射するのを防ぎ、結果として印刷画像（３’’）内に反射光の強弱を作り出して原画像（７’’）を出現させる働きを成すために、低光沢（マット）であったり、光遮断性に優れる特性を有したりすることが好ましいことは第一の実施の形態や第二の実施の形態と同様である。なお、集合潜像要素群（５’’）には、蒲鉾状画線（６’’）のような明暗フリップフロップ性やカラーフリップフロップ性は必須ではないが、これらの性質を備えていても問題ない。
【０１８２】
この集合潜像画線群（５’’）を蒲鉾状画線群（４’’）の上に重ね合わせて潜像印刷物（１’’）が完成する。設計上、最も適正な蒲鉾状画線群（４’’）と集合潜像画線群（５’’）の重ね合わせの位置関係とは、図３０に示す関係であり、一つの蒲鉾状画線（６’’）の上に、Ａ辺側から順に、第１の潜像画線（９−１’’）、第２の潜像画線（９−２’’）、第３の潜像画線（９−３’’）、第４の潜像画線（９−４’’）、第５の潜像画線（９−５’’）が、順に少なくとも一部重なった状態である。
【０１８３】
図３０に示す蒲鉾状画線群（４’’）と集合潜像画線群（５’’）の重ね合わせの位置関係で、本発明の潜像印刷物（１’’）を形成した場合の効果を図３１に示す。潜像印刷物（１’’）に光源（１１’’）から直接光が入射しない、いわゆる拡散反射光下で潜像印刷物（１’’）を観察した場合、図３１（ｂ）に示すように、一定の意匠性を有する集合潜像画線群（５’’）自体の彩紋状模様（１６）が視認される。
【０１８４】
一方、正反射光下において図３１（ｃ）のように、Ａ辺側が光源（１１’’）に向けて上がって傾いた状態で観察した場合、印刷画像（３’’）中から彩紋状模様（１６）が消失し、代わりに集合潜像画線群（５’’）を構成する原画像（７’’）の一つである第１の原画像（７−１’’）のみが第一の潜像画像（１５−１’’）として出現する。この角度において、第一の潜像画像（１５−１’’）以外の集合潜像画線群（５’’）は不可視となる。この場合、第一の潜像画像（１５−１’’）は、集合潜像画線（８’’）の正反射光下における色彩で、その他の印刷画像（３’’）は、蒲鉾状画線群（４’’）の正反射光下の色彩となる。
【０１８５】
また、潜像印刷物（１）を図３１（ｃ）から図３１（ｄ）の角度へと徐々に変化させると、印刷画像（３’’）中から第一の潜像画像（１５−１’’）が消失して第二の潜像画像（１５−２’’）が出現する。そして、より角度を大きく変化させると第二の潜像画像（１５−２’’）が消失して、第三の潜像画像（１５−２’’）が出現する。
【０１８６】
第一の潜像画像（１５−１’’）と第二の潜像画像（１５−２’’）とは、それぞれの潜像要素（１３’’）の配置角度（α）が第３の方向（反時計回り（Ｓ３））に９度回転した関係にあることから、第一の潜像画像（１５−１’’）から第二の潜像画像（１５−２’’）へと画像がチェンジすることによって、出現した潜像要素（１３’’）の集合である、雪の結晶模様が反時計回りに９度回転する。なお、回転方向については、時計回りも反時計回りも、いずれも第３の方向（Ｓ３）とする。併せて、中心から放射状に外側へ向かう方向も、外側から中心へ向かう方向も、いずれも第４の方向（Ｓ４）とする。
【０１８７】
第二の潜像画像（１５−２’’）と第三の潜像画像（１５−２’’）の関係も同様であることから、第二の潜像画像（１５−２’’）から第三の潜像画像（１５−２’’）へと画像がチェンジすることによって、出現した潜像要素（１３’’）の集合である、雪の結晶模様が反時計回り（Ｓ３）に更に９度回転する。本発明の潜像印刷物（１’’）において画像のチェンジ効果は、数度の角度の変化によって生じるから、潜像印刷物（１’’）を正反射光下でわずかに傾けるだけで、雪の結晶模様は、反時計回り（Ｓ３）に回転して見える。
【０１８８】
続いて、潜像印刷物（１’’）を図３１（ｄ）から図３１（ｅ）の角度へ変化させると、印刷画像（３’’）中の第三の潜像画像（１５−２’’）が消失して、第四の潜像画像（１５−４’’）が出現する。そして、より角度を大きく変化させると、第四の潜像画像（１５−４’’）が消失して、第五の潜像画像（１５−５’’）が出現する。
【０１８９】
第三の潜像画像（１５−３’’）と第四の潜像画像（１５−４’’）の関係及び第四の潜像画像（１５−４’’）と第五の潜像画像（１５−５’’）の関係も、第一の潜像画像（１５−１’’）から第二の潜像画像（１５−２’’）の関係と同じく、それぞれの潜像要素（１３’’）の配置角度（α）が第３の方向（反時計回り）（Ｓ３）に９度回転した関係にあることから、雪の結晶模様が反時計回りに９度回転し、更に９度回転する。なお、理想的な光源の状態で観察した場合には、第五の潜像画像（１５−５’’）が出現した後に、基材（２’’）の観察角度を同じ方向に傾けると再び第一の潜像画像（１５−１’’）が出現し、二サイクル目の動画が再生される。
【０１９０】
以上のように、拡散反射光下では印刷画像（３’’）の中に有色の彩紋状模様（１６）が視認され、一方で正反射光下のある特定の観察角度において印刷画像（３’’）の中から彩紋状模様（１６）が消失して潜像画像（１５’’）が出現し、正反射光下で傾けて観察した場合には、潜像画像である雪の結晶模様が反時計回りにスムーズに回転するパラパラ漫画方式の動画効果が生じる。
【０１９１】
以上の効果が生じる原理については、第一の実施の形態及び第二の実施の形態と同様である。ただし、第一の実施の形態及び第二の実施の形態と異なり、集合潜像要素群（５’’）が有色の色彩で形成されることから、拡散反射光下では集合潜像要素群（５’’）自体が視認される、すなわち、集合潜像要素群（５’’）が構成する彩紋状模様（１６）が視認される点は、第一の実施の形態及び第二の実施の形態との違いである。その一方で、集合潜像要素群（５’’）は有色であっても、蒲鉾状画線群（４’’）が一定の強さで光を反射することで、透明である場合と同様なチェンジ効果を生じるのは第一の実施の形態及び第二の実施の形態と同様である。
【０１９２】
続いて、蒲鉾状画線群（４’’）と集合潜像画線群（５’’）の刷り合わせの位置関係が図３０に示した理想的な位置関係からズレた場合の効果について説明する。図３２に示すのは、図３０及び図３１に示した蒲鉾状画線群（４’’）と集合潜像画線群（５’’）の刷り合わせの位置関係からズレが生じ、蒲鉾状画線（６’’）と蒲鉾状画線（６’’）の間にある非画線部に第３の潜像画線（９−３’’）が完全に嵌った例である。この例において、第３の潜像画線（９−３’’）は、いずれの蒲鉾状画線（６’’）の上にも重なっていない。
【０１９３】
図３２の蒲鉾状画線群（４’’）と集合潜像画線群（５’’）の刷り合わせの位置関係では、図３２（ｃ）のようにＡ辺側が光源（１１’’）に向けて上がって傾いた状態で観察した場合、印刷画像（３’’）中に第四の潜像画像（１５−４’’）が出現する。また、潜像印刷物（１’’）を図３２（ｃ）から図３２（ｄ）の角度へと徐々に変化させると、印刷画像（３’’）中から第四の潜像画像（１５−４’’）が消失して、第五の潜像画像（１５−５’’）にチェンジし、傾きを大きくすることによって第一の潜像画像（１５−１’’）、第二の潜像画像（１５−２’’）が次々とチェンジする。
【０１９４】
その結果、観察者は、前述の図３１に示した例と同じように、雪の結晶模様がスムーズに回転する動画効果を認識できる。この図３２の形態においては、第三の潜像画像（１５−３’’）は出現しないが、図３１に示した潜像印刷物（１’’）との間に認識できる程度に明確な差異は生じないため、観察者は、図３１に示した潜像印刷物（１’’）と、図３２に示した潜像印刷物（１’’）との違いに気が付くことはない。
【０１９５】
以上のように、本第３の実施の形態の潜像印刷物（１’’）においても、蒲鉾状画線群（４’’）と集合潜像画線群（５’’）の刷り合わせの位置関係に関係なく、出現した潜像要素（１３’’）が略相似形状に変化する（第３の実施の形態においては、第３の方向（Ｓ３）に回転する）動画効果を認識できる。そして、仮に刷り合わせにズレが生じることによって、一部の潜像画像（１５’’）が出現しなかったとしても、その動画効果の違いを認識することができない。よって、蒲鉾状画線群（４’’）と集合潜像画線群（５’’）の刷り合わせの位置関係に関係なく、目視上、同じ動画効果が認識される効果が生じる。これは、第一の実施の形態及び第二の実施の形態同様に、従来の循環型の動画効果には無かったモアレ拡大現象を利用した動画効果の利点である。
【０１９６】
第３の実施の形態における動画効果は、潜像要素（１３’’）が第３の方向（Ｓ３）に回転する効果であったが、本発明の潜像印刷物（１’’）における動画効果はこれに限定されるものではない。潜像要素（１３’’）が彩紋状模様（１６）を構成さえしていれば、回転したり、回転しながら移動したり、大きさが変化したり、形状が変化する等、対応した関係で配置される潜像要素（１３’’）同士が略相似形状の関係を維持しながら変化できる範囲の変化であれば実現できる。これは、従来のモアレ拡大現象を利用した動画効果には無かったパラパラ漫画方式の動画効果の利点である。彩紋状模様（１６）を構成した上で実現可能な動画表現のバリエーションの具体例は、第４の実施の形態及び第５の実施の形態の中で説明する。
【０１９７】
（第４の実施の形態）
第４の実施の形態では、第３の実施の形態で説明した彩紋状模様（１６）を形成することは同様ではあるが、はじめに集合潜像画線群（５’’’）の彩紋状模様（１６’）を定めた上で原画像（７’’’）を構成するものである。
【０１９８】
図３３に第４の実施の形態における潜像印刷物（１’’’）を示す。図３４には、潜像印刷物（１’’’）の印刷画像（３’’’）の構成の概要を示す。印刷画像（３’’’）は、蒲鉾状画線群（４’’’）の上に集合潜像画線群（５’’’）が重ねて形成されて成る。この第４の実施の形態では、あらかじめ集合潜像画線群（５’’’）の彩紋状模様（１６’）に適用する彩紋を選択した上で、原画像（７’’’）を構成する作製方法を用いる。
【０１９９】
なお、基材（２’’’）や印刷画像（３’’’）、蒲鉾状画線群（４’’’）の構成や材料構成、条件等については、前述の各実施の形態と同様であることから説明を省略する。また、集合潜像画線群（５’’’）の色彩や形成方法についても、第３の実施の形態と同様であることから説明を省略する。以下では、彩紋（１４’）を基にして集合潜像画線群（５’’’）を作製する方法について具体的に説明する。
【０２００】
第４の実施の形態の彩紋状模様（１６’）に適用する彩紋とは、図３５に示す彩紋（１４’）である。この彩紋（１４’）は、小さな彩紋（１４Ａ’）と大きな彩紋（１４Ｂ’）の組合せから成り、それぞれの模様が原画像要素（１０’’’）の角度を変えながら回転した繰り返しによって構成されて成ることから、本発明の集合潜像画線群（５’’’）に用いる彩紋状模様（１６’）に適用可能な彩紋である。
【０２０１】
まず、基になる彩紋（１４’）が決まったら、小さな彩紋（１４Ａ’）と大きな彩紋（１４Ｂ’）のように彩紋を構成する要素に分解し、それぞれの彩紋を構成する特定の模様を原画像要素（１０Ａ’’’、１０Ｂ’’’）とする。そして、それぞれの彩紋（１４’）を構成している原画像要素（１０Ａ’’’、１０Ｂ’’’）の数、及びどのような配置でそれぞれの彩紋（１４Ｂ’）を構成しているのかを把握する。図３５の小さな彩紋（１４Ａ’）と大きな彩紋（１４Ｂ’）は、それぞれ原画像要素（１０Ａ’’’、１０Ｂ’’’）が３０個集合することで構成されて成り、それぞれ同じ中心を有して角度差１２度の違いで回転した構成となっている。以上の情報を把握したのち、それぞれの彩紋（１４Ａ’、１４Ｂ’）を原画像（７’’’）へと分解する作業を行う。
【０２０２】
なお、ここでは説明を明瞭とするために大きな彩紋（１４Ｂ’）のみについて説明する。まず、用いる原画像（７’’’）の数を決める。一つの潜像印刷物（１’’’）において用いる原画像（７’’’）の数は、潜像印刷物（１’’’）の画像をチェンジさせる性能自体に依存するため、その性能の範囲内の数とする必要がある。第４の実施の形態においては５枚の原画像（７’’’）によって構成している。本発明の潜像印刷物（１’’’）を印刷によって証券に付与できるサイズで付与する場合には８枚以下の原画像（７’’’）とすることが好ましく、更には、６枚以下で構成することがより好ましい。
【０２０３】
以上のように、原画像（７’’’）の数が決まったら、先ほどの彩紋（１４Ｂ’）を構成している３０個の原画像要素（１０Ｂ’’’）を各原画像（７’’’）に振り分ける。通常、それぞれの原画像（７’’’）に含まれる原画像要素（１０Ｂ’’’）の数は同じであるほうが、作製は容易であるため、原画像要素（１０Ｂ’’’）の数を原画像（７’’’）の数で割って、原画像（７’’’）一枚あたりの原画像要素（１０Ｂ’’’）の数を決めれば良い。第４の実施の形態においては、３０を６で除した値となり、五枚の原画像（７’’’）には、それぞれ６個の原画像要素（１０Ｂ’’’）が含まれる構成とした。
【０２０４】
図３６（ａ）に、第１の原画像（７−１’’’）を示す。第１の原画像（７−１’’’）は、図３５に示す彩紋（１４Ｂ’）を構成する任意の原画像要素（１０Ｂ’’’）の一つを、第１の原画像（７−１’’’）における第１−１の原画像要素（１０−１（１）’’’）とし、第１−１の原画像要素（１０−１（１）’’’）から数えて第３の方向（Ｓ３）に六番目にある彩紋（１４Ｂ’）を構成する原画像要素（１０Ｂ’’’）を、第１−２の原画像要素（１０−１（２）’’’）とし、第１−２の原画像要素（１０−１（２）’’’）から数えて第３の方向（Ｓ３）に六番目にあたる彩紋（１４Ｂ’）を構成する原画像要素（１０Ｂ’’’）を、第１−３の原画像要素（１０−１（３）’’’）とし、第１−３の原画像要素（１０−１（３）’’’）から数えて第３の方向（Ｓ３）に六番目にある彩紋（１４Ｂ’）を構成する原画像要素（１０Ｂ’’’）を、第１−４の原画像要素（１０−１（４）’’’）とし、第１−４の原画像要素（１０−１（４）’’’）から数えて第３の方向（Ｓ３）に六番目にある彩紋（１４Ｂ’）を構成する原画像要素（１０Ｂ’’’）を、第１−５の原画像要素（１０−１（５）’’’）とし、第１−５の原画像要素（１０−１（５）’’’）から数えて第３の方向（Ｓ３）に六番目にある彩紋（１４Ｂ’）を構成する原画像要素（１０Ｂ’’’）を、第１−６の原画像要素（１０−１（６）’’’）とした構成を有する。以上のように、６個の原画像要素（１０Ｂ’’’）が均等な６０度の角度差で回転して配置された画像が第１の原画像（７−１’’’）となる。
【０２０５】
第１の原画像（７−１’’’）と隣り合う第２の原画像（７−２’’’）は、第１の原画像（７−１’’’）における原画像要素（１０Ｂ’’’）に対して第３の方向（Ｓ３）に１２度回転した原画像要素（１０Ｂ’’’）を彩紋（１４Ｂ’）から取り出して構成する。第２の原画像（７−２’’’）と隣り合う第３の原画像（７−３’’’）は、第２の原画像（７−２’’’）における原画像要素（１０Ｂ’’’）に対して第３の方向（Ｓ３）に１２度回転した原画像要素（１０Ｂ’’’）を彩紋（１４Ｂ’）から取り出して構成する。第３の原画像（７−３’’’）と隣り合う第４の原画像（７−４’’’）は、第３の原画像（７−３’’’）における原画像要素（１０Ｂ’’’）に対して第３の方向（Ｓ３）に１２度回転した原画像要素（１０Ｂ’’’）を彩紋（１４Ｂ’’’）から取り出して構成する。第４の原画像（７−４’’’）と隣り合う第５の原画像（７−５’’’）は、第４の原画像（７−４’’’）における原画像要素（１０Ｂ’’’）に対して第３の方向（Ｓ３）に１２度回転した原画像要素（１０Ｂ’’’）を彩紋（１４Ｂ’）から取り出して構成する。
【０２０６】
以上のような作製方法を用いることで、特定の彩紋（１４’）をあらかじめ選択して集合潜像要素群（５’’’）を構成する方法においても、集合潜像要素群（５’’’）を構成する全ての原画像（７’’’）が循環する構成を有し、かつ、全ての原画像要素（１０’’’）が第１の原画像（７−１’’’）から第５の原画像（７−５’’’）の中で対応した関係で配置された原画像要素（１０’’’）を有し、対応した関係で配置される原画像要素（１０’’’）同士は、最も近似した略相似の関係を満たすことができる。以上のような方法を用いることで、あらかじめ集合潜像画線群（５’’’）に用いる彩紋（１４’）を決めた上で、本発明の構成の要件を満たす各原画像（７’’’）を設計することができる。
【０２０７】
なお、当然のことながら彩紋（１４’）の構成によっては、原画像要素（１０’’’）の数が原画像（７’’’）の数で割り切れなかったり、彩紋（１４’）中の原画像要素（１０’’’）同士の距離が離れ過ぎていたりして、原画像（７’’’）が容易に設計できない場面が存在する。このような場合は、彩紋（１４’）中の原画像要素（１０’’’）の数を変えたり、距離や角度等を調整したりする等、彩紋（１４’）自体をアレンジすることが好ましい。
【０２０８】
図３７に、小さな彩紋（１４Ａ’）を含んで構成した全ての原画像（７’’’）を示す。小さな彩紋（１４Ａ’）内部の原画像要素（１０Ａ’’’）の動きの方向は、大きな彩紋（１４Ｂ’）内部の原画像要素（１０Ｂ’’’）の動きの方向である第３の方向（Ｓ３）とは正反対の向きに回転する方向に角度変化する構成とし、それぞれの原画像（７’’’）に割り当てた。この例のように、彩紋（１４’）の一部が正反対の向きに動く効果を付与することは、それぞれの動きをより強調できるため好ましい構成である。
【０２０９】
それぞれの原画像（７’’’）の構成が決まったら、それぞれの原画像（７’’’）を特定のピッチ（Ｐ１）で任意の画線幅（Ｗ）で分断し、それぞれの原画像（７’’’）を基にして潜像画線群（５’’’）を作製し、それぞれの潜像画線群（５’’’）を第１の方向（Ｓ１）に位相をずらして互いの画線が重なり合わないように配置することで、集合潜像画線群（５’’’）が完成するのは、第３の実施の形態と同様である。
【０２１０】
図３８に、集合潜像画線群（５’’’）を構成する５種類の潜像画線群（５−１’’’、５−２’’’、５−３’’’、５−４’’’、５−５’’’）を示す。図３８に示す全ての潜像画線群（５−１’’’、５−２’’’、５−３’’’、５−４’’’、５−５’’’）は、小さな彩紋（１４Ａ’）の中の複数の原画像要素（１０Ａ’’’）から成る幾何学模様と、大きな彩紋（１４Ｂ’）の中の複数の原画像要素（１０Ｂ’’’）から成る幾何学模様を組合せた何学模様を表した画像を分断した分断画線から成る。
【０２１１】
図３８に５種類の潜像画線群（５−１’’’、５−２’’’、５−３’’’、５−４’’’、５−５’’’）の表す画像の基になる５種類の原画像（７−１’’’、７−２’’’、７−３’’’、７−４’’’、７−５’’’）を示す。全ての原画像（７−１’’’、７−２’’’、７−３’’’、７−４’’’、７−５’’’）において、角度の異なる幾何学模様を表した構成を有する。
【０２１２】
図３９（ａ）に示す蒲鉾状画線群（４’’’）と集合潜像画線群（５’’’）の重ね合わせの位置関係で本発明の潜像印刷物（１’’’）を形成した場合の効果を示す。潜像印刷物（１’’’）に光源（１１’’’）から直接光が入射しない、いわゆる拡散反射光下で潜像印刷物（１’’’）を観察した場合、図３９（ｂ）に示すように、一定の意匠性を有する集合潜像画線群（５’’’）自体の彩紋状模様（１６’）が視認される。
【０２１３】
一方、正反射光下において図３９（ｃ）のようにＡ辺側が光源（１１’’’）に向かって上がって傾いた状態で潜像印刷物（１’’’）を観察した場合、印刷画像（３’’’）中から彩紋状模様（１６’）が消失し、代わりに第一の潜像画像（１５−１’’’）が出現する。この場合、第一の潜像画像（１５−１’’’）は、集合潜像画線（５’’’）の正反射光下における色彩で、その他の印刷画像（３’’’）は蒲鉾状画線群（４’’’）の正反射光下の色彩となる。
【０２１４】
また、潜像印刷物（１’’’）を図３９（ｃ）から図３９（ｄ）を経て図３９（ｅ）の角度へと徐々に変化させると、印刷画像（３’’’）中で第一の潜像画像（１５−１’’’）、第二の潜像画像（１５−２’’’）、第三の潜像画像（１５−３’’’）、第四の潜像画像（１５−４’’’）、第五の潜像画像（１５−５’’’）が順次単独で出現する。これによって、大きな彩紋（１４Ｂ’）内部の幾何学模様は、第３の方向（時計回り）（Ｓ３）に、小さな彩紋（１４Ａ’）内部の幾何学模様は、第３の方向（反時計回り）（Ｓ３）に回転する効果が発現する。
【０２１５】
また、第３の実施の形態同様に、それぞれの原画像（７’’’）は極めて似た構成であることから、いずれかの潜像画像（１５’’’）が出現しなかった場合でも、観察者がその変化を認識できない。
【０２１６】
（第５の実施の形態）
次に、第５の実施の形態として、原画像要素（１０’’’’）の大きさが変化する動画効果を構成した例について説明する。また、この例においても、集合潜像画線群（４’’’’）に適用する彩紋（１４’’）を設定した上で、各原画像（７’’’’）を構成する方法で作製する例で説明する。
【０２１７】
図４０に第５の実施の形態における潜像印刷物（１’’’’）を示す。図４１には、潜像印刷物（１’’’’）の印刷画像（３’’’’）の構成の概要を示す。印刷画像（３’’’’）は、蒲鉾状画線群（４’’’’）の上に集合潜像画線群（５’’’’）が重ねて形成されて成る。この第５の実施の形態でも、第４の実施の形態同様、あらかじめ集合潜像画線群（５’’’’）の彩紋状模様（１６’’）に適用する彩紋（１４’’）を選択した上で、原画像（７’’’’）を構成する作製方法を用いる。
【０２１８】
なお、基材（２’’’’）や印刷画像（３’’’’）、蒲鉾状画線群（４’’’’）の構成や材料構成、条件等については、前述の実施の形態と同様であることから説明を省略する。また、集合潜像画線群（５’’’’）の色彩や形成方法についても第３の実施の形態と同様であることから説明を省略する。以下では、彩紋（１４’’）を基にした集合潜像画線群（５’’’’）の構成について具体的に説明する。
【０２１９】
第５の実施の形態の彩紋状模様（１６’’）に適用する彩紋（１４’’）とは、図４２に示す彩紋（１４’’）である。この彩紋（１４’’）は、バツ状の彩紋（１４Ａ’’）と十字状の彩紋（１４Ｂ’’）の組合せから成り、それぞれの模様が大きさを変えながら繰り返された構成によって成ることから、本発明の集合潜像画線群（５’’’’）に用いる彩紋状模様（１６’’）に適用可能な彩紋（１４’’）である。
【０２２０】
基になる彩紋（１４’’）は、バツ状の彩紋（１４Ａ’’）と十字状の彩紋（１４Ｂ’’）はいずれも３０個の原画像要素（１０Ａ’’’’、１０Ｂ’’’’）から成る。第５の実施の形態においては５枚の原画像（７’’’’）によって構成することから、それぞれ五枚の原画像（７’’’’）には、第４の実施の形態と同様に各６個の原画像要素（１０Ｂ’’’’）が含まれる構成とした。
【０２２１】
図４３にそれぞれの原画像（７’’’’）を示す。本第５の実施の形態においては、中心点（Ｏ’）から放射状に拡大・縮小する方向を第四の方向とした。バツ状の彩紋（１４Ａ’’）は、中心点（Ｏ’）に向かって縮小する方向を第４の方向（Ｓ４）として、それぞれの原画像要素（１０Ａ’’’’）は、第１の原画像（７−１’’’’）において最も大きく、第２の原画像（７−２’’’’）においてやや小さく、第３の原画像（７−３’’’’）において更に小さくなり、最終的に、第５の原画像（７−５’’’’）において最も小さくなる構成とした。
【０２２２】
逆に、十字状の彩紋（１４Ｂ’’）は、中心点（Ｏ’）から拡大する方向を第４の方向（Ｓ４）として、それぞれの原画像要素（１０Ｂ’’’’）は、第１の原画像（７−１’’’’）において最も小さく、第２の原画像（７−２’’’’）においてやや大きくなり、第３の原画像（７−３’’’’）において更に大きくなり、最終的に、第５の原画像（７−５’’’’）において最も大きくなる構成とした。以上のように、それぞれの原画像（７’’’’）は、循環する構成を有し、かつ、それぞれの原画像要素（１０’’’’）が第１の原画像（７−１’’’’）から第５の原画像（７−５’’’’）の中で対応した関係で配置された原画像要素（１０’’’’）を有し、対応した関係で配置された原画像要素（１０’’’’）は、最も近似した略相似の関係を満たす構成となった。
【０２２３】
以上のような構成としたそれぞれの原画像（７’’’’）を特定のピッチ（Ｐ１）で任意の画線幅（Ｗ）で分断し、それぞれの原画像（７’’’’）を基にして潜像画線群（５’’’’）を作製し、それぞれの潜像画線群（５’’’’）を第１の方向（Ｓ１）に位相をずらして互いの画線が重なり合わないように配置することで、集合潜像画線群（５’’’’）が完成するのは、第３の実施の形態及び第４の実施の形態と同様である。
【０２２４】
図４４に、集合潜像画線群（５’’’’）を構成する５種類の潜像画線群（５−１’’’’、５−２’’’’、５−３’’’’、５−４’’’’、５−５’’’’）を示す。図４４に示す全ての潜像画線群（５−１’’、５−２’’、５−３’’、５−４’’、５−５’’）は、バツ状の彩紋（１４Ａ’’）の中の複数の原画像要素（１０Ａ’’’’）から成る幾何学模様と十字状の彩紋（１４Ｂ’’）の中の複数の原画像要素（１０Ａ’’’’）から成る幾何学模様とを組合せた幾何学模様を分断した分断画線から成る。
【０２２５】
図４４に５種類の潜像画線群（５−１’’’’、５−２’’’’、５−３’’’’、５−４’’’’、５−５’’’’）の表す画像の基になる５種類の原画像（７−１’’’’、７−２’’’’、７−３’’’’、７−４’’’’、７−５’’’’）を示す。全ての原画像（７−１’’’’、７−２’’’’、７−３’’’’、７−４’’’’、７−５’’’’）において、角度の異なる幾何学模様を表した構成を有する。
【０２２６】
図４５（ａ）に示す蒲鉾状画線群（４’’’’）と集合潜像画線群（５’’’’）の重ね合わせの位置関係で本発明の潜像印刷物（１’’’’）を形成した場合の効果を示す。潜像印刷物（１’’’’）に光源（１１’’’’）から直接光が入射しない、いわゆる拡散反射光下で潜像印刷物（１’’’’）を観察した場合、図４５（ｂ）に示すように、一定の意匠性を有する集合潜像画線群（５’’’’）自体の彩紋状模様（１６’’）が視認される。
【０２２７】
一方、正反射光下において図４５（ｃ）のように、Ａ辺側が光源（１１’’’’）に向かって上がって傾いた状態で潜像印刷物（１’’’’）を観察した場合、印刷画像（３’’’’）中から彩紋状模様（１６’’）が消失し、代わりに第一の潜像画像（１５−１’’’’）が出現する。この場合、第一の潜像画像（１５−１’’’’）は、集合潜像画線（５’’’’）の正反射光下における色彩で、その他の印刷画像（３’’’’）は、蒲鉾状画線群（４’’’’）の正反射光下の色彩となる。
【０２２８】
また、潜像印刷物（１’’’’）を図４５（ｃ）から図４５（ｄ）を経て図４５（ｅ）の角度へと徐々に変化させると、印刷画像（３’’’’）中で第一の潜像画像（１５−１’’’’）、第二の潜像画像（１５−２’’’’）、第三の潜像画像（１５−３’’’’）、第四の潜像画像（１５−４’’’’）、第五の潜像画像（１５−５’’’’）が順次単独で出現する。これによって、バツ状の彩紋（１４Ａ’’）は縮小し、十字状の彩紋（１４Ｂ’’）は、拡大する効果が発現する。
【０２２９】
また、第３の実施の形態同様に、それぞれの原画像（７’’’’）は、極めて似た構成であることから、いずれかの潜像画像（１５’’’’）が出現しなかった場合でも、観察者がその変化を認識できない。以上が、潜像画像が拡大又は縮小する効果を有する第５の実施の形態の説明である。
【０２３０】
（第６の実施の形態）
第６の実施の形態として、第５の実施の形態と同様に潜像が拡大・縮小する効果が生じる形態であるが、彩紋状模様（１６）を構成しない例について説明する。
【０２３１】
図４６に第６の実施の形態における潜像印刷物（１’’’’’）を示す。図４７には潜像印刷物（１’’’’’）の印刷画像（３’’’’’）の構成の概要を示す。印刷画像（３’’’’’）は、蒲鉾状画線群（４’’’’’）の上に集合潜像画線群（５’’’’’）が重ねて形成されて成る。基材（２’’’’’）、印刷画像（３’’’’’）、蒲鉾状画線群（４’’’’’）及び集合潜像画線群（５’’’’’）の構成や材料構成、条件等については、前述までの実施の形態と同様であることから説明を省略する。以下では、集合潜像画線群（５’’’’’）の基と成る原画像（７’’’’’）の構成について説明する。
【０２３２】
図４８に、集合潜像画線群（５’’’’’）を構成する５種類の潜像画線群（５−１’’’’’、５−２’’’’’、５−３’’’’’、５−４’’’’’、５−５’’’’’）及び、それぞれの基になる５種類の原画像（７−１’’’’’、７−２’’’’’、７−３’’’’’、５−４’’’’’、７−５’’’’’）を示す。
【０２３３】
第６の実施の形態においても図４９に示すように原画像（７’’’’’）全体が画像の繋がりを有してループする循環構成を有する。すなわち、第１の原画像（７−１’’’’’）→第２の原画像（７−２’’’’’）→第３の原画像（７−３’’’’’）→第４の原画像（７−４’’’’’）→第５の原画像（７−５’’’’’）を一サイクルとし、第５の原画像（７−５’’’’’）から再び第１の原画像（７−１’’’’’）へと繋がる循環構成を有する。
【０２３４】
第６の実施の形態では、原画像（７’’’’’）はすべて円の集合によって波紋を表し、それぞれの原画像（７’’’’’）の中の波紋が中心から外側へ向かって拡大し、最後に徐々に薄くなって消失する様子を表わしている。原画像（７’’’’’）を構成する原画像要素（１０’’’’’）はすべて円であり、対応した関係で配置された原画像要素（１０’’’’’）は大きさが異なる形態の略相似形状である。
【０２３５】
図５０に示すのは、第１の原画像（７−１’’’’’）から第５の原画像（７−５’’’’’）における原画像要素（１０’’’’’）をすべて重ね合わせた概要図である。第１−１の原画像要素（１０−１（１）’’’’’）と隣接した第１−２の原画像要素（１０−１（２）’’’’’）は大きさが異なる略相似形状である。
【０２３６】
また、第１の原画像（７−１’’’’’）における第１−１の原画像要素（１０−１（１）’’’’’）と、第２の原画像（７−２’’’’’）において約５％大きな略相似形状である第２−１の原画像要素（１０−２（１）’’’’’）が対応した関係で配置され、この２−１の原画像要素（１０−２（１）’’’’’）と、第３の原画像（７−３’’’）において約２０％大きな略相似形状である第３−１の原画像要素（１０−３（１）’’’’’）が対応した関係で配置され、この第３−１の原画像要素（１０−３（１）’’’’’）と、第４の原画像（７−４’’’’’）において約１０％大きな略相似形状である第４−１の原画像要素（１０−４（１）’’’’’）が対応した関係で配置され、この第４−１の原画像要素（１０−４（１）’’’’’）と第５の原画像（７−５’’’’’）において約７．５％大きな略相似形状である第５−１の原画像要素（１０−５（１）’’’’’）が対応した関係で配置される。
【０２３７】
そして、第５の原画像（７−５’’’’’）の第５−１の原画像要素（１０−５（１）’’’’’）と、第１の原画像（７−１’’’’’）において約５％大きな略相似形状である第１−２の原画像要素（１０−１（２）’’’’’）が対応する関係にある。これ以後、隣り合う原画像（７’’’’’）において対応した関係で配置された原画像要素（１０’’’’’）同士は、約５％大きな略相似形状である最も近似した略相似形状の関係にある。
【０２３８】
なお、本実施の形態において、第１の原画像（７−１’’’’’）の第１−１の原画像要素（１０−１（１）’’’’’）は円が出現する起点となる画像であるため、隣接する第２の原画像（７−２’’’’’）の第２−１の原画像要素（１０−２（１）’’’’’）の画像もほぼ同じ大きさの画像とし、第１の原画像（７−１’’’’’）が出現しなかった場合でも、隣接する第２の原画像（７−２’’’’’）においてほぼ同じ起点の位置に第２−１の原画像要素（１０−２（１）’’’’’）が出現し、起点が変わらないように見える構成とした。
【０２３９】
また、終点と成る第５−ｉの原画像要素（１０−５（ｉ）’’’’’）は、第１の原画像（７−１’’’’’）における第１−ｉの原画像要素（１０−１（ｉ）’’’’’）から第５の原画像（７−５’’’’’）における第５−ｉの原画像要素（１０−５（ｉ）’’’’’）にかけて徐々に濃度を低くして徐々に消失する構成とした。このような構成を用いることで、水の波紋が徐々に弱まりながら消失するような効果を表現することができる。なお、本実施の形態においては、水の波紋の消失を、原画像要素（１０’’’’’）の濃度を徐々に低くして成る構成としたが、原画像要素（１０’’’’’）の画線幅を徐々に狭くして成る構成としても同様の効果を奏することが、可能である。
【０２４０】
以上のような構成の原画像（７’’’’’）を、所定の画線幅で分断し、潜像画線（９’’’’’）から成る潜像画線群（５−１’’’’’、５−２’’’’’、５−３’’’’’、５−４’’’’’、５−５’’’’’）とすることで、集合潜像画線群（５’’’’’）を構成する。
【０２４１】
また、原画像（７’’’’’）は、複数の原画像要素（１０’’’’’）から構成されていることから、原画像（７’’’’’）を分断して成る潜像画線群（５−１’’’’’、５−２’’’’’、５−３’’’’’、５−４’’’’’、５−５’’’’’）においては、図４８（ｂ）に示すように、複数の原画像要素（１０’’’’’）を分断して成る複数の潜像要素（１３’’’’’）を有する。また、原画像（７’’’’’）において、隣り合う原画像要素（１０’’’’’）同士が互いに略相似形状であることから、分断することで構成される潜像要素（１３’’’’’）においても、隣り合う潜像要素（１３’’’’’）同士が互いに略相似形状となる。この集合潜像画線群（５’’’’’）の構成や、材料構成、形成方法等は、前述の実施の形態と同様であることから省略する。
【０２４２】
図５１（ａ）に示す、蒲鉾状画線群（４’’’’’）と集合潜像画線群（５’’’’’）の重ね合わせの位置関係で本発明の潜像印刷物（１’’’’’）を形成した場合の効果を、図５１（ｅ）に示す。潜像印刷物（１’’’’’）に光源（１１’’’’’）から直接光が入射しない、いわゆる拡散反射光下で潜像印刷物（１’’’’’）を観察した場合、いずれの原画像（７’’’’’）も出現せず、単に印刷画像（３’’’’’）が蒲鉾状画線群（４’’’’’）の物体色で視認される（図示せず）。
【０２４３】
一方、正反射光下において図５１（ｂ）のようにＡ辺側が光源（１１’’’’’）に向かって上がって傾いた状態で潜像印刷物（１’’’’’）を観察した場合、印刷画像（３’’’’’）中に第１の原画像（７−１’’’’’）が出現する。この場合、第１の原画像（７−１’’’’’）は集合潜像画線群（５’’’’’）の正反射光下における色彩で、その他の原画像（７−２’’’’’、７−３’’’’’、７−４’’’’’、７−５’’’’’）は蒲鉾状画線群（４’’’’’）の正反射光下の色彩となる。
【０２４４】
また、潜像印刷物（１’’’’’）を図５１（ｂ）から図５１（ｃ）を経て図５１（ｄ）の角度へと徐々に変化させると、印刷画像（３’’’’’）中で第一の潜像画像（１５−１’’’’’）、第二の潜像画像（１５−２’’’’’）、第三の潜像画像（１５−３’’’’’）、第四の潜像画像（１５−４’’’’’）、第五の潜像画像（１５−５’’’’’）が順次単独で出現する。これによって、それぞれの潜像画像（１５’’’’’）の中の潜像要素（１３’’’’’）の円が徐々に印刷画像（３’’’’’）中央を中心に第４の方向へと拡大する効果が発現する。結果として画像全体としては印刷画像（３’’’’’）の中心から生じた波紋が拡がりながら消えていく動画効果が生じる。
【０２４５】
また、前述の実施の形態と同様に、それぞれの原画像（７’’’’’）は、略相似形状であることから、いずれかの原画像（７’’’’’）が出現されなかった場合でも、観察者がその変化を認識できることはない。以上のように、本発明の構成を用いることで画像が拡大する動画効果を実現することができる。以上が、第６の実施の形態の説明である。
【０２４６】
以上、第１の実施の形態から第６の実施の形態で説明したように、本発明の原画像（７）の構成における技術的の特徴は、循環型の動画形態であっても、モアレ拡大現象を用いて出現する画像に近い構成を原画像の構成に適用することで、デザイン上の制約の多いモアレ拡大現象を用いることなく、刷り合わせに依存しない動画効果を実現できることを見出したことにある。
【０２４７】
このため、本発明における原画像（７）の構成とは、モアレ拡大現象によって再現できる画像と一部の特徴が一致し、かつ、その効果も一部が一致する。例えば、原画像（７）において略同一の原画像要素（１０）が複数配置される必要があることは、モアレ拡大現象を利用した画像において拡大モアレが周期性を有して複数出現する構成と一致し、また、同じ動画効果が繰り返し出現するにも関わらず、対の動きを必要としないことも一致する。
【０２４８】
また、モアレ拡大現象と異なっている点としては、印刷によって引用文献３に記載の技術を形成した場合、本発明の原画像要素（１０）にあたる拡大モアレは、極めて単純な画像、例えばアルファベットの１、２文字程度以下の低解像度の図柄しか表現できなかったが、本発明では、それらの制約はなく、自由に原画像要素（１０）をデザインでき、また、動きの方向に関する制約もない。
【０２４９】
以上のように、本発明は、パラパラ漫画方式の動画効果とモアレ拡大現象を利用した動画効果を融合させることで生まれた技術であって、モアレ拡大現象の刷り合わせに依存しない製造容易性と、パラパラ漫画方式の動画効果におけるデザインの自由度の高さを両立させた技術であると言える。また、集合潜像画線群（５）自体を一定の意匠性を有した彩紋状模様化して着色することで、拡散反射光下でもユニークな彩紋状模様（１６）を視認させることを可能とし、同時に正反射光下での潜像画像の視認性を高めることも可能とした。
【０２５０】
本発明が意図するスムーズな動画効果を得るためには、まず出現する潜像画像（１５）の数が一定の数以上に達している必要がある。本発明の構成において、二画像以下の潜像画像（１５）の数では、スムーズな動画効果を得ることは極めて困難であり、少なくとも三画像以上の潜像画像（１５）の数が必要である。潜像画像（１５）の数が多ければ多いほど、その効果は高まる。逆に言えば、本発明における潜像画像（１５）の構成と、それによる効果は、少なくとも三画像以上の潜像画像（１５）をチェンジさせる性能を有した技術、例えばパララックスバリアやレンチキュラーを用いた画像遷移技術やホログラム等に応用することができる。
【０２５１】
本発明の潜像印刷物は、いずれの潜像画像（１５）が出現しなくとも動画において判別できない程度の差異しか生じない効果を担保できる技術であるが、当然のことながら、いくつかの潜像画像（１５）は出現しなければその効果は生じない。少なくとも潜像画像（１５）の全数の半分以上の数は出現する効果がある場合にのみ、本発明の効果を得ることができる。仮に、五つの原画像（７）を用いる場合では、そのうち少なくとも三つの潜像画像（１５）が出現する必要がある。
【０２５２】
前述の理由から、本発明の効果を担保するためには、全原画像（７）のうち、可能な限り多くの原画像（７）が再生される工夫を施すことが好ましい。本来、それぞれの潜像画線（９）の画線幅（Ｗ）を非画線の幅を越える設計とした場合、必ず全ての原画像（７）が再生される効果が生じるが、印刷画像（３）が小さな面積の場合、この条件を満たす構成では、潜像画像（１５）の数が制限される結果となることから、スムーズな動画効果を生じさせること自体が困難となる。そこで一つの工夫として、本発明の原画像（７）の構成を満たした上で、それぞれの潜像画線（９）の画線幅を非画線の幅の２分の１を越える設計とすることが現実的に好ましい構成となる。この構成においては、二つ以上の原画像（７）が非画線に完全に重なってしまうことがなくなり、原画像（７）の数の制約も小さくなるため、好ましい。
【０２５３】
本発明の潜像印刷物の動画効果は、単体で用いる方法に限定されるものではなく、例えば特許第４６８２２８３号公報や特許第４６６０７７５号公報等の基本的な画像のチェンジ効果と組み合わせて用いてもよい。また、同じように動画効果を発現可能な技術、例えばモアレ拡大現象を利用して動画効果を発現する特許第５１３１７８９号公報に記載の技術や、インテグラルフォトグラフィ方式の動画効果を発現する特許５２００２８４号公報に記載の技術と共に一つの印刷画像（３）中に配置して、視覚効果のバリエーションに富んだ構成としても良い。
【０２５４】
以下、前述の発明を実施するための形態にしたがって、具体的に作製した潜像印刷物（１）の実施例について詳細に説明するが、本発明はこの実施例に限定されるものではない。実施例の説明においては、第１の実施の形態と同様に図１から図１２を用いて説明する。
【実施例１】
【０２５５】
図１に潜像印刷物（１）を示す。図１（ａ）に示すのは、潜像印刷物（１）の正面図であり、図１（ｂ）に示すのは、潜像印刷物（１）のＡ−Ａ’ラインにおける断面図である。潜像印刷物（１）は、基材（２）の上に、透明な印刷画像（３）が形成されて成る。基材（２）は、一般的な白色コート紙（エスプリコートＦＭ 日本製紙製）を用いた。
【０２５６】
本発明の印刷画像（３）の構成の概要を図２に示す。印刷画像（３）は、蒲鉾状画線群（４）と集合潜像画線群（５）を有する。図３に示すのは蒲鉾状画線群（４）であり、画線幅（Ｗ１）０．３２ｍｍの蒲鉾状画線（６）を第１の方向（Ｓ１方向）へ第１のピッチ（Ｐ１）０．４ｍｍで万線状に配置した。また、図４に示すのは集合潜像画線群（５）であり、画線幅（Ｗ２）０．３９ｍｍの集合潜像画線（８）を第１の方向（Ｓ１の方向）に第１のピッチ（Ｐ１）０．４ｍｍで交互に連続して配置した。
【０２５７】
図５に示すのは、集合潜像画線群（５）であり、５種類の潜像画線群（５−１、５−２、５−３、５−４、５−５）から成る。５種類の潜像画線群（５−１、５−２、５−３、５−４、５−５）は、それぞれ画線幅（Ｗ３、Ｗ４、Ｗ５、Ｗ６、Ｗ７）０．０７ｍｍの第１の潜像画線、第２の潜像画線、第３の潜像画線、第４の潜像画線、第５の潜像画線（９−１、９−２、９−３、９−４、９−５）をそれぞれ０．０１ｍｍずつの間隔に挟んで第１の方向（Ｓ１方向）に重ならないように第１のピッチ（Ｐ１）０．４ｍｍで万線状に配置した。それぞれの原画像（７）の構成は、第１の実施の形態と同様であるから説明を省略する。
【０２５８】
以上の構成の二つの画像を、まず基材（２）上に蒲鉾状画線群（４）をＵＶ乾燥方式のスクリーン印刷方式で印刷した。インキは、表１に示すＵＶスクリーンインキを用いた。本インキは、拡散反射光下では半透明であり、正反射光下では緑色の干渉色を発する。続いて、蒲鉾状画線群（４）の上に集合潜像画線群（５）をＵＶ乾燥方式のオフセット印刷方式で印刷した。インキは、透明なマットニス（マットメジュウム  Ｔ＆Ｋ  ＴＯＫＡ製）を使用した。また、蒲鉾状画線（６）の盛り上がり高さは約１２μｍであった。二つの要素群の重なり合いの位置関係については、図９及び図１０（ａ）に示すような位置関係で重ね合わせた。
【０２５９】
【表１】
0006369813.tif 000002
【０２６０】
以上の手順で作製した本発明の潜像印刷物（１）の効果を確認した。拡散反射光下において、印刷画像（３）中にはいずれの潜像画像（１５）も出現せず、完全に不可視であった（図示せず）。一方、正反射光下において図１０（ｂ）のようにＡ辺側が光源（１１）に向けて上がって傾いた状態の潜像印刷物（１）を観察した場合、パール顔料の干渉色である緑色を呈する背景の中に第１の潜像画像（１５−１）が印刷画像（３）中に出現した。
【０２６１】
次に、正反射光下において図１０（ｂ）の状態から図１０（ｃ）の状態を経て、図１０（ｄ）の状態まで潜像印刷物（１）を徐々に傾けた場合、図１０（ｅ）に示すように第一の潜像画像（１５−１）から、第二の潜像画像（１５−２）、第三の潜像画像（１５−３）、第四の潜像画像（１５−４）を経て、第五の潜像画像（１５−５）へと画像が変化した。結果として、Ａ辺側に現れた「ＪＡＰＡＮ」は、第２の方向に、Ａ’辺側に現れた「ＪＡＰＡＮ」は、第２の方向と略１８０度異なる方向にスムーズに移動する動画効果が生じた。
【０２６２】
また、図１１（ａ）や図１２（ａ）に示すような、最も好ましい刷り合わせの関係からズレた位置関係で潜像印刷物（１）を構成した場合でも、図１１（ｅ）や図１２（ｅ）に示すように図１０（ｅ）と目視上同一の動画効果が生じた。以上のように、本発明の潜像印刷物（１）において、刷り合わせの位置関係によらず、同じ動画効果が生じることが確認できた。
【実施例２】
【０２６３】
図２１に潜像印刷物（１’’）を示す。図２１（ａ）に示すのは、潜像印刷物（１’’）の正面図であり、図２１（ｂ）に示すのは、潜像印刷物（１’’）のＡ−Ａ’ラインにおける断面図である。潜像印刷物（１’’）は、基材（２’’）の上に、灰色の印刷画像（３’’）の中に淡い青色の彩紋状模様（１６）が形成されて成る。基材（２’’）は、一般的な白色コート紙（エスプリコートＦＭ 日本製紙製）を用いた。
【０２６４】
本発明の印刷画像（３’’）の構成の概要を図２２に示す。印刷画像（３’’）は、蒲鉾状画線群（４’’）と集合潜像画線群（５’’）を有する。蒲鉾状画線群（４’’）は、画線幅（Ｗ１）が０．３２ｍｍの蒲鉾状画線（６−１’’）を第１の方向（Ｓ１方向）へピッチ（Ｐ１）０．４ｍｍで万線状に配置した。また、図２３に示すのは、集合潜像画線群（５’’）であり、画線幅（Ｗ２）が０．３９ｍｍの集合潜像画線（８’’）を第１の方向（Ｓ１の方向）にピッチ（Ｐ１）０．４ｍｍで交互に連続して配した。
【０２６５】
集合潜像画線（８’’）は、それぞれ画線幅（Ｗ３〜Ｗ７）０．０７ｍｍの第１の潜像画線、第２の潜像画線、第３の潜像画線、第４の潜像画線、第５の潜像画線（９−１’’、９−２’’、９−３’’、９−４’’、９−５’’）を、それぞれ０．０１ｍｍずつの間隔に挟んで第１の方向（Ｓ１方向）に重ならないようにピッチ（Ｐ１）０．４ｍｍで万線状に配置した。それぞれの原画像（７’’）の構成は、第３の実施の形態と同様であるから説明を省略する。
【０２６６】
以上の構成の二つの画像を、まず基材（２’’）上に蒲鉾状画線群（４’’）をＵＶ乾燥方式のスクリーン印刷方式で印刷した。インキは、表１に示すＵＶスクリーンインキを用いた。本インキは、拡散反射光下では灰色であり、正反射光下では明度が上昇して白色となる。
【０２６７】
続いて、蒲鉾状画線群（４’’）の上に集合潜像要素群（５’’）をＵＶ乾燥方式のオフセット印刷方式で印刷した。インキは、透明なマットニス（マットメジュウム  Ｔ＆Ｋ  ＴＯＫＡ製）に微量の青色顔料を配合した。また、蒲鉾状画線（６’’）の盛り上がり高さは約１２μｍであった。二つの要素群の重なり合いの位置関係については、図３０に示すような位置関係で重ね合わせた。
【０２６８】
【表２】
0006369813.tif 000003
【０２６９】
以上の手順で作製した本発明の潜像印刷物（１’’）の効果を確認した。拡散反射光下において、印刷画像（３）中には図３１（ｂ）のように青色の彩紋状模様（１６）が視認された。一方、正反射光下において図３１（ｃ）のようにＡ辺側が光源（１１’’）に向けて上がって傾いた状態の潜像印刷物（１’’）を観察した場合、白色を呈する印刷画像（３’’）中に青色の第一の潜像画像（１５−１’’）の画像が出現した。
【０２７０】
次に、正反射光下において図３１（ｃ）の状態から図３１（ｄ）の状態を経て、図３１（ｅ）の状態まで潜像印刷物（１’’）を徐々に傾けた場合、図３１（ｆ）に示すように、第一の潜像画像（１５−１’’）から、第二の潜像画像（１５−２’’）、第三の潜像画像（１５−３’’）、第四の潜像画像（１５−４’’）を経て、第五の潜像画像（１５−５’’）へと画像が変化した。結果として、雪の結晶模様が反時計回りにスムーズに移動する動画効果が生じた。
【０２７１】
また、図３２に示すような、最も好ましい刷り合わせの関係からズレた位置関係で潜像印刷物（１’’）を構成した場合でも、図３１（ｆ）と目視上同一の動画効果が生じた。以上のように、本発明の潜像印刷物（１’’）において、刷り合わせの位置関係によらず、同じ動画効果が生じることが確認できた。
【符号の説明】
【０２７２】
１、１’、１’’、１’’’、１’’’’、１’’’’’  潜像印刷物
２、２’、２’’、２’’’、２’’’’、２’’’’’  基材
３、３’、３’’、３’’’、３’’’’、３’’’’’  印刷画像
４、４’、４’’、４’’’、４’’’’、４’’’’’  蒲鉾状画線群
５、５’、５’’、５’’’、５’’’’、５’’’’’  集合潜像画線群
５−１、５−１’、５−１’’、５−１’’’、５−１’’’’、５−１’’’’’  １の潜像画線群
５−２、５−２’、５−２’’、５−２’’’、５−２’’’’、５−２’’’’’  第２の潜像画線群
５−３、５−３’、５−３’’、５−３’’’、５−３’’’’、５−３’’’’’  第３の潜像画線群
５−４、５−４’、５−４’’、５−４’’’、５−４’’’’、５−４’’’’’  第４の潜像画線群
５−５、５−５’、５−５’’、５−５’’’、５−４’’’’、５−４’’’’’  第５の潜像画線群
６、６’、６’’、６’’’、６’’’’、６’’’’’  蒲鉾状画線
７、７’、７’’、７’’’、７’’’’、７’’’’’  原画像
７−１、７−１’、７−１’’、７−１’’’、７−１’’’’、７−１’’’’’  第１の原画像
７−２、７−２’、７−２’’、７−２’’’、７−２’’’’、７−２’’’’’  第２の原画像
７−３、７−３’、７−３’’、７−３’’’、７−３’’’’、７−３’’’’’  第３の原画像
７−４、７−４’、７−４’’、７−４’’’、７−４’’’’、７−４’’’’’  第４の原画像
７−５、７−５’、７−５’’、７−５’’’、７−５’’’’、７−５’’’’’  第５の原画像
８、８’、８’’、８’’’、８’’’’、８’’’’’  集合潜像画線
９、９’、９’’、９’’’、９’’’’、９’’’’’  潜像画線
９−１、９−１’、９−１’’、９−１’’’、９−１’’’’、９−１’’’’’  第１の潜像画線
９−２、９−２’、９−２’’、９−２’’’、９−２’’’’、９−２’’’’’  第２の潜像画線
９−３、９−３’、９−３’’、９−３’’’、９−３’’’’、９−３’’’’’  第３の潜像画線
９−４、９−４’、９−４’’、９−４’’’、９−４’’’’、９−４’’’’’  第４の潜像画線
９−５、９−５’、９−５’’、９−５’’’、９−５’’’’、９−５’’’’’  第５の潜像画線
１０、１０’、１０’’、１０’’’、１０’’’’、１０’’’’’  原画像要素
１１、１１’、１１’’、１１’’’、１１’’’’、１１’’’’’  光源
１２、１２’、１２’’、１２’’’、１２’’’’、１２’’’’’  観察者の視点
１３、１３’、１３’’、１３’’’、１３’’’’、１３’’’’’  潜像要素
１４’、１４’’      彩紋
１４Ａ’、１４Ａ’’    彩紋の一部
１４Ｂ’、１４Ｂ’’    彩紋の一部
１５、１５’、１５’’、１５’’’、１５’’’’、１５’’’’’          潜像画像
１５−１、１５−１’、１５−１’’、１５−１’’’、１５−１’’’’、１５−１’’’’’  第一の潜像画像
１５−２、１５−２’、１５−２’’、１５−２’’’、１５−２’’’’、１５−２’’’’’  第二の潜像画像
１５−３、１５−３’、１５−３’’、１５−３’’’、１５−３’’’’、１５−３’’’’’  第三の潜像画像
１５−４、１５−４’、１５−４’’、１５−４’’’、１５−４’’’’、１５−４’’’’’  第四の潜像画像
１５−５、１５−５’、１５−５’’、１５−４’’’、１５−４’’’’、１５−４’’’’’  第五の潜像画像
１６、１６’、１６’’  彩紋状模様
Ａ            従来技術における原画像
Ｂ            従来技術における潜像画線
Ｃ            従来技術における蒲鉾状画線
Ｏ、Ｏ’中心点
【図１】
0006369813.tif 000004
【図２】
0006369813.tif 000005
【図３】
0006369813.tif 000006
【図４】
0006369813.tif 000007
【図５】
0006369813.tif 000008
【図６】
0006369813.tif 000009
【図７】
0006369813.tif 000010
【図８】
0006369813.tif 000011
【図９】
0006369813.tif 000012
【図１０】
0006369813.tif 000013
【図１１】
0006369813.tif 000014
【図１２】
0006369813.tif 000015
【図１３】
0006369813.tif 000016
【図１４】
0006369813.tif 000017
【図１５】
0006369813.tif 000018
【図１６】
0006369813.tif 000019
【図１７】
0006369813.tif 000020
【図１８】
0006369813.tif 000021
【図１９】
0006369813.tif 000022
【図２０】
0006369813.tif 000023
【図２１】
0006369813.tif 000024
【図２２】
0006369813.tif 000025
【図２３】
0006369813.tif 000026
【図２４】
0006369813.tif 000027
【図２５】
0006369813.tif 000028
【図２６】
0006369813.tif 000029
【図２７】
0006369813.tif 000030
【図２８】
0006369813.tif 000031
【図２９】
0006369813.tif 000032
【図３０】
0006369813.tif 000033
【図３１】
0006369813.tif 000034
【図３２】
0006369813.tif 000035
【図３３】
0006369813.tif 000036
【図３４】
0006369813.tif 000037
【図３５】
0006369813.tif 000038
【図３６】
0006369813.tif 000039
【図３７】
0006369813.tif 000040
【図３８】
0006369813.tif 000041
【図３９】
0006369813.tif 000042
【図４０】
0006369813.tif 000043
【図４１】
0006369813.tif 000044
【図４２】
0006369813.tif 000045
【図４３】
0006369813.tif 000046
【図４４】
0006369813.tif 000047
【図４５】
0006369813.tif 000048
【図４６】
0006369813.tif 000049
【図４７】
0006369813.tif 000050
【図４８】
0006369813.tif 000051
【図４９】
0006369813.tif 000052
【図５０】
0006369813.tif 000053
【図５１】
0006369813.tif 000054
【図５２】
0006369813.tif 000055
【図５３】
0006369813.tif 000056
【図５４】
0006369813.tif 000057
【図５５】
0006369813.tif 000058
【図５６】
0006369813.tif 000059